(57)【要約】  血圧カフとともに使用される適合取付体は、種々の血圧測定が、単一の、患者により着用されるカフを用いて、種々の、単一の、および／または双対の、ルーメンの、マニュアル、または電子的血圧測定装置を持つ、病院、または他の設定においてなされることを可能にする。
2009508577.tif 000002
【特許請求の範囲】
【請求項１】
血圧測定を得るにおいて助けとなるシステムであって、該システムは、以下のものよりなる：
患者の腕の周りに巻かれるよう適合されるカフ、該カフは、内部チャンバー、および外部表面を含む；および、
前記カフに接続された、かつ、前記外部表面と前記内部チャンバーとの間に直接の流体通信を与える開口を含むアダプター、ここで、前記アダプターは、メインボディーを含み、かつ、少なくとも２つの異なる材料からなる。
【請求項２】
請求項１のシステムであって、前記アダプターの少なくとも２つの異なる材料は、異なる柔軟性を持つ。
【請求項３】
請求項１のシステムであって、前記アダプターは、前記カフ内に実質的に配置されたソケットである。
【請求項４】
請求項１のシステムであって、前記アダプターは、調整具であり、前記調整具の少なくとも一部は、前記カフから所定の距離だけ突出している。
【請求項５】
請求項４のシステムであって、前記所定の距離は、およそ１５ミリメートルからおよそ１ミリメートルの範囲にある。
【請求項６】
請求項１のシステムであって、前記メインボディーは、前記カフへの接続のためのフランジを持つ。
【請求項７】
請求項６のシステムであって、前記フランジは、溶接、ボンディング、およびシーリングよりなるグループから選択された技術により、カフに接続される。
【請求項８】
請求項７のシステムであって、前記フランジは、ＲＦ溶接、超音波溶接、化学溶接、および熱溶接からなるグループから選択された溶接技術により、前記カフに接続される。
【請求項９】
請求項１のシステムであって、前記カフは、第１の端、および第２の端を持つ単一スリーブよりなる。
【請求項１０】
請求項９のシステムであって、前記カフの前記内部チャンバーは、前記単一スリーブの第１の端を、前記単一スリーブの第２の端に接続することにより、定義される。
【請求項１１】
請求項１のシステムにおいて、前記カフは、２つの接続されたスリーブよりなり、かつ、前記内部チャンバーは、前記２つのスリーブの間で定義される。
【請求項１２】
請求項１のシステムであって、前記カフは、再使用可能なカフである。
【請求項１３】
請求項１のシステムであって、前記カフは、使い捨て可能なカフである。
【請求項１４】
請求項１のシステムであって、前記開口は、所定の直径を有し、かつ、前記アダプターのメインボディーは、前記カフと接触するラジアルシールを含む。
【請求項１５】
請求項１のシステムであって、前記アダプターは、さらに、該アダプターのメインボディーから伸びるインタフェース部を持つ。
【請求項１６】
請求項１５のシステムであって、前記メインボディーは、第１の所定の材料よりなり、前記インタフェース部は、前記第１の所定の材料とは異なる第２の所定の材料よりなる。
【請求項１７】
請求項１６のシステムであって、前記第１の所定の材料、および前記第２の所定の材料は、異なる柔軟性を持つ。
【請求項１８】
請求項１７のシステムであって、前記第１の所定の材料は、前記第２の所定の材料より、より柔軟性を持つ。
【請求項１９】
請求項１５のシステムであって、前記インタフェース部は、前記メインボディーから伸びる第１の端を持つリング、および前記リングから伸びるリッジを持つ。
【請求項２０】
請求項１９のシステムであって、前記メインボディーは、第１の所定の材料よりなり、かつ、前記リングおよび前記リッジのおのおのは、前記第１の所定の材料と異なる第２の所定の材料よりなる。
【請求項２１】
請求項２０のシステムであって、前記第１の所定の材料、および前記第２の所定の材料は、異なる柔軟性を持つ。
【請求項２２】
請求項２１のシステムであって、前記第１の所定の材料は、前記第２の所定の材料より、より柔軟性を持つ。
【請求項２３】
請求項１９のシステムであって、前記メインボディーは、第１の所定の材料よりなり、前記リングは、第２の所定の材料よりなり、前記リッジは、第３の所定の材料よりなり、前記第１の所定の材料は、前記第２の所定の材料とは異なり、前記第２の所定の材料は、前記第３の所定の材料とは異なり、前記第１の所定の材料は、前記第３の所定の材料とは異なる。
【請求項２４】
請求項２３のシステムであって、前記第１の所定の材料は、前記第２の所定の材料、および前記第３の所定の材料のおのおのとは異なる柔軟性を持つ。
【請求項２５】
請求項２４のシステムであって、前記第１の所定の材料は、前記第２の所定の材料、および前記第３の所定の材料のおのおのより、より大きい柔軟性を持つ。
【請求項２６】
請求項１のシステムにおいて、前記カフは、幼児サイズ、小児科サイズ、小さい大人サイズ、大人サイズ、大きい大人サイズ、および腿サイズよりなるグループから選ばれた大きさを持つ。
【請求項２７】
請求項２６のシステムであって、前記カフの大きさは、該カフ上の指標により、示される。
【請求項２８】
請求項２７のシステムであって、前記指標は、以下のものよりなるグループより選択される： (a) 文字指標、 (b) カラー指標、(c) 図形指標、および(d) (a)、(b)、および(c)の少なくとも２つの任意の組み合わせ。
【請求項２９】
請求項１のシステムであって、さらに以下のものよりなる：
前記アダプターと、解放可能に、かつ流体通信して接続された第２のアダプターであって、該第２のアダプターは、複数の血圧測定装置の任意のものとの個々の相互交換可能な流体通信を許し、複数の血圧測定が同じカフを用いて行なわれることを可能とする。
【請求項３０】
請求項２９のシステムであって、前記第２のアダプターは、前記アダプターに、以下のものよりなるグループより選択された技術により前記アダプターに解放可能に接続されている： (a) スナップ嵌合、 (b) スレッド接続、 (c) かしめ、 (d)摩擦嵌合、(e) (a)、(b)、(c)、および(d)、の少なくとも２つの組み合わせ。
【請求項３１】
請求項２９のシステムであって、前記第２のアダプターは、前記アダプターに接続されている間、少なくとも部分的に回転可能である。
【請求項３２】
請求項２９のシステムであって、前記第２のアダプターは、前記アダプターに接続されている間、実質的に３６０°回転可能である。
【請求項３３】
請求項２９のシステムであって、前記第２のアダプターは、汚染物を集めるための少なくとも１つのスクリーニング要素を含む。
【請求項３４】
請求項３３のシステムであって、前記少なくとも１つのスクリーニング要素は、前記第２のアダプターに対し一体的である。
【請求項３５】
請求項３３のシステムであって、前記少なくとも１つのスクリーニング要素は、前記第２のアダプターに取り付けられている。
【請求項３６】
請求項３３のシステムであって、前記少なくとも１つのスクリーニング要素のおのおのは、実質的に円筒状のメンバーである。
【請求項３７】
請求項３３のシステムであって、前記少なくとも１つのスクリーニング要素は、メッシュ材料および膜からなるグループから選択された材料からなる。
【請求項３８】
請求項３７のシステムであって、前記メッシュ材料は、ワイヤースクリーン、布材料、およびプラスチック材料からなるグループから選択される。
【請求項３９】
請求項３７のシステムであって、前記膜は、シンターされた材料、繊維性材料、および生地よりなるグループから選択される。
【請求項４０】
請求項２９のシステムにおいて、さらに、前記第２のアダプターへの接続のための第１の端、および複数の血圧計測装置のいずれかへの相互交換可能な個別の接続のための第２の端を持つ少なくとも１つのホースを持つ。
【請求項４１】
請求項４０のシステムであって、前記少なくとも１つのホースの各々は、(a)第１の端、第２の端、および、その中に定義された単一ルーメンを持つホース、および、(b) 第１の端、第２の端、および、その中に定義された１より多いルーメンを持つホース、よりなるグループから選択される。
【請求項４２】
請求項４０のシステムであって、前記第２のアダプターは、該第２のアダプターが、前記少なくとも1つのホースのおのおのに個々に接続されることを可能とする少なくとも１つのやじりのかかりを有する。
【請求項４３】
請求項４０のシステムであって、前記第２のアダプターは、該第２のアダプターが、前記少なくとも１つのホースに接続されることを可能とする少なくとも１つのリセスを有する。
【請求項４４】
請求項２９のシステムであって、前記第２のアダプターは、以下のものからなる：
前記開口と直接の流体通信をする第２のチャンバー；および、
前記第１のチャンバーと、前記第２のチャンバーとの間の分割ゾーン、
ここで、前記分割ゾーンは、前記第１のチャンバーと、前記第２のチャンバーとの間の流体通信を最小化するのに有効である。
【請求項４５】
請求項４４のシステムであって、
前記分割領域は、前記第１のチャンバーと接触する第１の壁、および前記第２のチャンバーと接触する第２の壁を有し、前記第１の壁、および前記第２の壁は、それらの間のチャネルを定義し、かつ、少なくとも１ｍｍの距離だけ離れている。
【請求項４６】
請求項４４のシステムであって、前記第のチャンバー、および第２のチャンバーのおのおのは、汚染物を集めるための少なくとも１つのスクリーニング要素を含む。
【請求項４７】
請求項２９のシステムであって、前記第２のアダプターは、前記開口と直接流体通信するチャンバーよりなる。
【請求項４８】
請求項４７のシステムであって、前記チャンバーは、汚染物を集めるための少なくとも１つのスクリーニング要素を含む。
【請求項４９】
請求項２９のシステムであって、前記第２のアダプターは、第１のルーメン、および第２のルーメンを有する双対ルーメンホースに接続されており、かつ、前記第１のチャンバーは、前記第１のチャンバーと前記第１のルーメンとの直接流体通信を可能とする第１のアクセス開口を有し、かつ、前記第２のアダプターは、前記第２のチャンバーと前記第２のルーメンとの直接流体通信を可能とする第２のアクセス開口を有する。
【請求項５０】
複数の血圧測定が相互交換可能になされることを可能にするシステムであって、該システムは、以下のものからなる：
患者の肢の周りに巻かれるよう適合されるカフであって、該カフは、内部チャンバー、および外部表面を含む；
前記カフに接続され、かつ、前記外部表面と前記内部チャンバーとの間の直接の流体通信を与える開口を含む第１のアダプターであって、該第１のアダプターは、すくなくとも２つの異なる物質よりなる；
前記第１のアダプターに接続され、かつ、これと直接流体通信している第２のアダプター；  および、
前記第２のアダプターへの接続のための第１の端、および複数の血圧測定装置のいずれかへの個々の接続のための第２の端を持つ少なくとも１つのホース、これにより、前記複数の血圧測定は、単一カフの使用を通して、前記複数の血圧測定装置のいずれかを用いてなされることができる。
【請求項５１】
請求項５０のシステムであって、前記第２のアダプターは、汚染物を集めるための少なくとも１つのスクリーニング要素を含む。
【請求項５２】
請求項５０のシステムであって、前記少なくとも２つの材料は、異なる柔軟性を持つ。
【請求項５３】
患者の肢の周りに巻かれるよう、適合された血圧測定カフであって、該カフは、以下のものよりなる：
内部チャンバー；
外部表面；および、
前記カフに接続される、かつ、前記外部表面と、前記内部チャンバーとの間の直接の流体通信を与える開口を有するアダプターであって、該アダプターは、メインボディーを含み、かつ、少なくとも２つの異なる材料よりなる。
【請求項５４】
請求項５３のカフであって、前記少なくとも２つの異なる材料は、異なる柔軟性を持つ。
【請求項５５】
請求項５３のカフであって、前記アダプターは、実質的に、前記カフ内に配置されたソケットよりなる。
【請求項５６】
請求項５３のカフであって、前記アダプターは、調整具であり、前記調整具の少なくとも一部は、前記カフから所定の距離だけ突出している。
【請求項５７】
請求項５６のカフであって、前記所定の距離は、およそ１５ミリメートルからおよそ１ミリメートルの範囲にある。
【請求項５８】
請求項５３のカフであって、前記メインボディーは、前記カフへの接続のためのフランジを、持つ。
【請求項５９】
請求項５８のカフであって、前記フランジは、溶接、ボンディング、および、シーリングよりなるグループから選択された技術により、カフに接続される。
【請求項６０】
請求項５９のカフであって、前記フランジは、ＲＦ溶接、超音波溶接、化学溶接、および熱溶接からなるグループから選択された溶接技術により、前記カフに接続される。
【請求項６１】
請求項５３のカフであって、前記カフは、第１の端、および第２の端を持つ単一のスリーブよりなる。
【請求項６２】
請求項６１のカフであって、前記カフの前記内部チャンバーは、前記単一スリーブの第１の端を、前記単一スリーブの第２の端に接続することにより、定義される。
【請求項６３】
請求項５３のカフであって、前記カフは、２つの接続されたスリーブよりなり、かつ、前記内部チャンバーは、前記２つのスリーブの間で定義される。
【請求項６４】
請求項５３のカフであって、前記カフは、再使用可能なカフである。
【請求項６５】
請求項５３のカフであって、前記カフは、使い捨て可能なカフである。
【請求項６６】
請求項５３のカフであって、前記開口は、所定の直径を有し、かつ、前記アダプターのメインボディーは、前記カフと接触するラジアルシールを含む。
【請求項６７】
請求項５３のシステムであって、前記アダプターは、さらに、前記アダプターのメインボディーから伸びるインタフェース部を持つ。
【請求項６８】
請求項６７のシステムであって、前記メインボディーは、第１の所定の材料よりなり、前記インタフェース部は、前記第１の所定の材料とは異なる第２の所定の材料よりなる。
【請求項６９】
請求項６８のシステムであって、前記第１の所定の材料、および前記第２の所定の材料は、異なる柔軟性を持つ。
【請求項７０】
請求項６９のシステムであって、前記第１の所定の材料は、前記第２の所定の材料より、より柔軟性を持つ。
【請求項７１】
請求項６７のシステムであって、前記インタフェース部は、前記メインボディーから伸びる第１の端を持つリング、および前記リングから伸びるリッジを持つ。
【請求項７２】
請求項７１のシステムであって、前記メインボディーは、第１の所定の材料よりなり、かつ、前記リングおよび前記リッジのおのおのは、前記第１の所定の材料と異なる第２の所定の材料よりなる。
【請求項７３】
請求項７２のシステムであって、前記第１の所定の材料、および前記第２の所定の材料は、異なる柔軟性を持つ。
【請求項７４】
請求項７３のシステムであって、前記第１の所定の材料は、前記第２の所定の材料より、より柔軟性を持つ。
【請求項７５】
請求項７１のシステムであって、前記メインボディーは、第１の所定の材料よりなり、前記リングは、第２の所定の材料よりなり、前記リッジは、第３の所定の材料よりなり、前記第１の所定の材料は、前記第２の所定の材料とは異なり、前記第２の所定の材料は、前記第３の所定の材料とは異なり、前記第１の所定の材料は、前記第３の所定の材料とは異なる。
【請求項７６】
請求項７５のシステムであって、前記第１の所定の材料は、前記第２の所定の材料、および前記第３の所定の材料のおのおのとは異なる柔軟性を持つ。
【請求項７７】
請求項７６のシステムであって、前記第１の所定の材料は、前記第２の所定の材料、および前記第３の所定の材料のおのおのより、より大きい柔軟性を持つ。
【請求項７８】
請求項５３のカフであって、該カフは、幼児サイズ、小児科サイズ、小さい大人サイズ、大人サイズ、大きい大人サイズ、および腿サイズよりなるグループから選ばれた大きさを持つ。
【請求項７９】
請求項７８のカフであって、該カフの大きさは、該カフ上の指標により、示される。
【請求項８０】
請求項６５のカフであって、前記指標は、以下のものよりなるグループより選択される： (a) 文字指標、 (b) カラー指標、(c) 図形指標、および(d) (a)、(b)、および(c)の少なくとも２つの任意の組み合わせ。
【請求項８１】
血圧測定方法であって、以下のステップよりなる：
内部チャンバー、および外部表面を含むカフを設けるステップ、ここで、第１のアダプターは、実質的に、前記カフの外部表面内に配置されており、前記第１のアダプターは、前記外部表面と前記内部チャンバーとの間の直接の流体通信を与えるよう、前記カフの前記内部チャンバー内に伸びる開口を含む；
前記カフを、患者と触知通信する状態に置く；
第２のアダプターを、前記第１のアダプターに、前記第１のアダプターと前記第２のアダプターとの間に直接の流体通信を与えるように、解放可能に接続する；
複数のホースのうちの１つを、選択する、ここで、前記複数のホースは、(a) 第1の端、第２の端、およびそれらの間に定義された単一ルーメンを持つ少なくとも１つのホース、および、(b) 第１の端、第２の端、および、それらの間に定義された１より多いルーメンを持つ少なくとも１つのホース、を含む、
前記選択されたホースを、前記第２のアダプターに接続する；および、
前記選択されたホースの前記第２の端を、血圧測定が行なわれることを可能にするよう、少なくとも1つの血圧測定装置に接続する。
【請求項８２】
請求項８１の方法であって、前記少なくとも第１の血圧測定装置のおのおのは、マニュアル、および電子的な血圧測定装置よりなるグループから選択される。
【請求項８３】
請求項８１の方法であって、前記カフを、前記患者と接知通信させるステップは、前記患者の腕の周りに前記カフを巻きつけることによりなされる。
【請求項８４】
請求項８１の方法であって、さらに、以下のステップよりなる：
前記選択されたホースの前記第２の端を、前記第１の血圧測定装置から非接続とする；および、
前記選択されたホースの前記第２の端を、第２の、同じでない血圧測定装置に接続し、もう１つの血圧測定が行なわれることを可能とする。
【請求項８５】
請求項８１の方法であって、さらに、以下のステップよりなる；
前記選択されたホースの前記第２の端を、前記第１の血圧測定装置より非接続とする；
前記選択されたホースの前記第１の端を、前記第２のアダプターから非接続とする。
前記複数のホースの中から、もう１つを、選択する；
前記複数のホースのうちの前記もう１つの前記第１の端を、前記第２のアダプターに、接続し、かつ、前記複数のホースの前記もう１つの前記第２の端を、第２の、同じでない血圧測定装置に接続し、もう１つの血圧測定が行なわれることを可能とする。
【請求項８６】
血圧測定を、相互交換可能に行なうためのキットであって、
患者の肢の周りに巻かれるよう適合された、かつ、内部チャンバー、および外部表面を含むカフであって、前記第１のアダプターは、実質的に、前記カフの前記外部表面内に配置され、前記第１のアダプターは、前記外部表面と前記内部チャンバーとの間の直接流体通信を与えるよう、前記カフの前記内部チャンバー内に伸びる開口を含む；
前記第１のアダプターへの開放可能な接続のために適合され、前記第１のアダプターと、前記少なくとも１つの付加的なアダプターとの間の直接流体通信を与える、少なくとも１つの付加的なアダプター；  および、
複数のホース、ここで、該複数のホースのおのおのは、第１の端、および第２の端を持ち、かつ、前記ホースのおのおのの前記第１の端は、前記少なくとも１つの追加的なアダプターの少なくとも１つに個々に接続されるよう適合され、かつ、前記複数のホースの各々の前記第２の端は、血圧測定が行なわれることを可能とするよう、少なくとも１つの設備への接続のために適合されている。
【請求項８７】
請求項８６のキットであって、前記キットは、複数の追加的なアダプターを含み、かつ、前記複数の追加的なアダプターのおのおのは、前記第１のアダプターへの個々の解放可能な接続のために、適合されている。
【請求項８８】
請求項８６のキットであって、前記複数のホースのおのおのは、前記少なくとも１つの追加的なアダプターの任意のおのおのへの個々の接続のために、適合されている。
【請求項８９】
請求項８６のキットであって、前記複数のホースのおのおのは、(a) 第1の端、第２の端、およびそれらの中に定義された単一ルーメンを持つ１つのホース、および、(b) 第１の端、第２の端、および、それらの中に定義された１より多いルーメンを持つ１つのホース、よりなるグループから選択されている。
【請求項９０】
請求項８６のキットであって、少なくとも１つの追加的なアダプターは、該ホースコネクターが、前記複数のホースの任意のおのおのに個々に接続されることを可能とするよう、少なくとも１つのやじりのかかりに接続されている。
【請求項９１】
請求項８６のキットであって、前記少なくとも１つの追加的なアダプターは、前記ホースコネクターが、前記複数のホースの任意のおのおのに個々に接続されることを可能とするよう、少なくとも１つのリセスを持つ。
【請求項９２】
請求項８６のキットであって、前記カフは、再使用可能なカフである。
【請求項９３】
請求項８６のキットであって、前記カフは、使い捨て可能なカフである。
【請求項９４】
請求項８６のキットであって、前記少なくとも１つの追加的なアダプターは、以下のものよりなる：
前記開口と直接の流体通信をする第１のチャンバー；
前記開口と直接の流体通信をする第２のチャンバー；
前記第１のチャンバーと、前記第２のチャンバーとの間の分割ゾーン、ここで、前記分割ゾーンは、前記第１のチャンバーと、前記第２のチャンバーとの間の流体通信を最小化するのに有効である。
【請求項９５】
請求項９４のシステムであって、前記分割ゾーンは、第１のチャンバーと接触する第１の壁、および第２のチャンバーと接触する第２の壁をもち、前記第１の壁、および前記第２の壁は、それらの間のチャネルを定義し、かつ、少なくとも１ｍｍだけ離れている。
【請求項９６】
請求項９４のキットであって、前記第１のチャンバー、および前記第２のチャンバーの各々は、汚染物を集めるための、少なくとも１つのスクリーニング要素を持つ。
【請求項９７】
請求項８６のキットであって、前記少なくとも１つの追加的なアダプターは、前記開口と直接流体通信するチャンバーよりなる。
【請求項９８】
請求項９７のキットであって、前記チャンバーは、汚染物を集めるための、少なくとも１つのスクリーニング要素を持つ。
【発明の詳細な説明】
【技術分野】
【０００１】
関連した出願への相互参照。
本発明は、同時係属中の、共通に譲渡された、米国特許出願第１１／２３０，１１７号、名称：血圧測定装置であって、２００５年９月１９日に出願されたもので、かつ、２００１年８月１４日に出願され、２００３年９月９日に米国特許第６，６１５，６６６号明細書として発行された米国特許出願第０９／６６９，４７４号に対するＣＩＰ出願としての優先権を主張したものであり、かつ、２０００年９月２５日に出願され、２００２年７月２３日に米国特許第６，４２２，０８６号明細書として発行された米国特許出願第０９／６６９，４７４号に対するＣＩＰ出願としての優先権を主張したものであるもの、に対する一部継続出願としての優先権を主張するものであり、Ｎｏ．１１／２３０,１１７、Ｎｏ．１０／４５６，７０４、Ｎｏ．０９／９２９，５０１、およびＮｏ．０９／６６９，４７４の出願の各々は、その全体が、参照によりここに組み入れられる。
【０００２】
本発明は、測定装置の分野に関するものであり、特に、病院環境内でのように、複数の血圧測定が、種々の分離したシステムでもって、交換可能に行なわれることを可能にする技術、および関連する装置に関するものである。
【背景技術】
【０００３】
患者の動脈の血圧を測るために使われる、血圧計のような測定装置は、代表的に、患者の手足（すなわち、腕あるいは足）の上にあてられる取り付けられたスリーブの圧力チャンバーを膨張させる圧力バルブを含む。該空気バルブ、およびスリーブ圧力チャンバーの、流体圧力の変化に応答する、ダイヤフラム、およびベローズアセンブリーは、フレキシブルチューブ、またはホースを介して、スリーブの圧力チャンバーに流体的に接続されたゲージハウジング内に位置している。機械的なゲージハウジングにおいては、ダイヤルインディケーターのポインターは、ゲージハウジング内に保持されている移動機構を通してベローズアセンブリーに相互接続されており、これにより、ベローズの膨張は、ポインターの対応する周縁的な動きを生ずることとなり、血圧測定手順が、世話人によって実行されることを可能とする。
【０００４】
典型的に、移動機構に関して上述されたことは、きわめて入り組んだ、かつ、複雑なことであり、スイスウォッチに対する製造および精度と同種のものである。例えば、および１つのそのような移動機構において、一対のダイヤフラムばねは、スピンドルの隣接する対向端に取り付けられている。該スピンドルの底端は、ベローズアセンブリーと接触して置かれており、かつ、該スピンドルの上端に垂直に配置されたツィストされたブロンズのバンドは、水平に配置されたスプリングの曲げ部により平行に接続されている。スピンドルが、ベローズの膨張に応答して軸方向に変位するとき、該曲げられたばね部もまた、変位することとなり、これにより、該バンドがねじられる原因となる。該ブロンドのバンドに取り付けられたポインターは、それゆえ、隣接するダイヤルフェースと関係して回転することとなる。
【０００５】
上記のような装置は、多くの移動する、および比較的複雑な要素を含み、そのいくつか、あるいはおのおのは、多くのベアリング表面を持っている。 それゆえ、このような周知の装置は、エラーを最小にするために、精度および失敗率の両方に関して、比較的に厳格な耐性マージン、および意義のある関連するコストで持って製造されなければならない。
【０００６】
さらに、ポインターをゼロ点にするここと、または装置の感度を調整すること等の、上記機構のアセンブリー後に要求される任意の調整は、実質的な解体、あるいは、少なくともいくらかの望まれない解体を必要とする。
【０００７】
さらに、別々のかつ分離した要素が、代表的に、移動機構およびベローズアセンブリーをそれぞれ独立に支持するために、かつベローズアセンブリーのための拡張チャンバーをそれらの間に定義するために、装置ハウジング内に要求される。
【０００８】
より最近の、かつ、単純化された移動機構は、参照によりその全体がここに組み入れられる米国特許第５,９９６,８２９号明細書において記述されている。この機構は、その一端が軸方向に移動可能な長いシャフトにマウントされ、残りの端が固定されたチューブ状のスリーブに取り付けられている、スパイラル状に包まれたリボンスプリングを持つ垂直に配置されたカートリッジを含む。該長いシャフトの底部は、延長可能なダイヤフラムまたはベローズに対して相対的に位置しており、ここで、ダイヤフラムの移動による、該シャフトのつづいて起こる軸方向移動は、空間的に巻かれたリボンスプリングを長くし、該シャフトの上端で支持されたポインターの繰り返し可能な周縁的な動きを生成する。上記移動機構は、その簡単な構成により以前に知られているものよりずっと小さくて、かつ、より軽量である。
【０００９】
これもまた参照によりその全体が組み入れられる米国特許第６,１６８,５６６号明細書に記述されたさらなる進歩は、‘８２９特許に記述された移動機構を保持するハウジングの設計が、さらによりコンパクトであることを許す。
【００１０】
上記圧力測定装置に共通する１つの特徴は、移動機構、ダイヤルフェース、および支持メンバーを収容するゲージハウジングを、膨張可能なスリーブの内部と流体的に相互接続する必要である。この相互接続は、代表的に、ホースの一端にてスリーブの外部上に位置するやじりのかかり、または結合子に、かつ、ゲージハウジングの一端上に配置された入力ポートに接続された長いホースを用いてなされる。これらの装置の製造を単純化し、かつ、その設計をよりよく集積することは、一般的な目的である。
【００１１】
より最近では、圧力測定装置の電子的なもののバージョンが、該分野におけるそれらの使用において、より広く、かつより目立つものとなってきた。他のものの中でも、オムロン社によって生産されたもの等のこれらのデバイスは、患者の腕または手首に、装着される。これらの装置は、スリーブからの出力をユーザへの圧力読み取り出力に変換する、バッテリ電源供給式の電子的ベース装置を持つ。しかしながら、まだ、膨張可能なスリーブの膨張および収縮には頼っており、さらに特定的には、スリーブの内部とゲージハウジングの内部との間には、流体相互接続がある。さらに、かつ今日まで、これらの装置のすべては、いつも、スリーブを含めて集積されたアセンブリーの一部であったものであり、これにより、置き換えは、スリーブのみでなく、つながれた電子的な要素の置き換えをも必要とした。
【００１２】
このような電子装置の出現で、現在は、種々の異なるタイプの、マニュアルおよび電子的な両方の血圧測定設備および装置の使用を通して、血圧を測定する数々の有効な方法がある。現在、広まったままであり、今日、製造されつづけ、区別なく使われ続けている、２つの一般的なタイプの、マニュアルまたは機械的な血圧測定設備がある。第１のタイプの測定装置は、カフ内の圧力を、膨張させおよび収縮させるのに用いられる単一ルーメンホース取付体を通して、カフ／スリーブと通信するものである。第２のタイプの血圧測定装置は、１つのルーメンは、ふたたびカフ内の圧力を膨張させおよび収縮させるのに用いられ、第２のルーメンは、カフ内の圧力のモニターを許す双対のルーメンホース取付体を通して、カフ／スリーブと通信するものである。同様に、また、そのうちのいくつかは１つのルーメンを持つホース取付体を有し、他は双対のルーメンホース取付体を利用する、異なるタイプの電子的な血圧測定装置がある。さらに、いくらかの製造業者は、１つのタイプのコネクター（すなわち、ネジ／ルアータイプ）によりホース取付体に接続された、マニュアルおよび電子的な血圧測定装置を設計しており、一方、他の製造業者は、このような接続が、彼らの装置に対して異なるタイプのコネクター（たとえば、ルアーロック、または銃剣タイプ）によりなされることを要求している。
【００１３】
現在のところ、マニュアルの、あるいは電子的な血圧測定装置が、どのように設計されなければならないかを記述する標準はない。さらに、病院およびＨＭＯ治療センターは、種々の必要をもち、かつ多くの人が、より古い、まだ機能している血圧測定装置を、より新しい洗練された装置を利用し始めたにかかわらず、その使用から取り下げていない範囲にまで予算に対し敏感である。これらの状況は、多くの病院およびＨＭＯ治療センターが、いくつかの異なったタイプ（例えば、マニュアルの、電子的な、単一のルーメンホース取付体に依存する、双対のルーメンホース取付体に依存する、異なるコネクターを使用する、等の）の血圧測定装置を、彼らの施設上の多くのステーションで使用するために保持する状況を導き出した。
【００１４】
以上の状況は、今度は、これらの異なったタイプの血圧測定装置の間で、かつそれらの中で、取替えをする際に、命にかかわる極めて重要な時間および人的資源を失っているという問題を作り出した。この問題は、どのような医療施設においても起こりえるが、患者の血圧を連続的にモニターすることが必要な病院環境内では、もっとも最前線のことである、なぜなら、患者の血圧の突然の変化は、患者の症状の改善、あるいは後戻りを示し得るものであり、あるいはその全体的な診断および／または治療を支援することができるからである。
【００１５】
現在のところ、このような連続的なモニタリングは、一般に、病院への輸送の間の救急車の中で、あるいは病院の最初の検査／治療エリア（例えば、判定ユニット、診断ステーション）に到着した際に、第１のカフ／スリーブ（少なくとも１つのあらかじめ取り付けられた単一ルーメン、または双対ルーメンホースを持つ）を患者に、患者の血圧を第１の血圧測定装置の使用を通して採取するために、巻きつけることにより始められる。最初のカフ／スリーブ、および取り付けられたホース結合を、患者を病院内の彼のまたは彼女の次の行き先、たとえばトラウマルームまたは撮像ルームに輸送する前に取り外すことが一般に必要であり、その新しい行き先では、異なる血圧測定装置の使用を通して血圧モニタリングを続けることを可能とするよう、適切な大きさの新しいスリーブ（再び、少なくとも単一ルーメンまたは双対ルーメンのあらかじめ取り付けられたホースを持つ）が、配置され、取り付けられなければならない。たとえば、第１の血圧測定装置は、マニュアルまたは電子装置であってよく、第２の装置は、互換性のない（すなわち、あらかじめ取り付けられたホースにおけるルーメンの数、必要とされるコネクター、等により）マニュアルまたは電子的な血圧装置であってよい。
【００１６】
典型的な状況の下で、このような取り外し、配置、および再取り付けのステップは、患者が、初めに評価されている間に、および／または患者が病院に入院させられた後に、数回行なわれるかも知れない。これは、上記したように、多くの病院が、通常は、マニュアルと電子的の両方の血圧測定装置を利用しており、そのいくらかまたはすべては、少なくとも１つのホース取付体を持つ、現在着けているカフ／またはスリーブと互換性のないものであるかも知れない（たとえば、マニュアル対電子的であるか、必要とされるコネクタのタイプ、取り付けられたホース内のルーメンの数、等により）からである。最も良い事例のシナリオにおいても、このような取り外し、配置、および再取り付けのステップの各ラウンドは、それらが、そうでなければ異なる仕事をしていることができたであろう医療従事者の、短時間ではあっても注意を命令するので、不都合である。かつ、最悪にも、あらかじめとりつけられたホースを持つ各新しいカフ／スリーブの取り外し、配置、および再取り付け、のステップにおいて消費され得る秒から分は、患者にとって生命に衝撃を与える結果を持ち得る。
【００１７】
さらに、病院において、特に、救急部門設定において、患者を評価するときに遭遇され得る混沌により、少なくとも１つのカフ／またはスリーブに接続されたあらかじめ取り付けられたホースが、さらなる血圧測定が十分な正確さで行われることを妨げるであろうほどねじられていることは、まれなことではない。ホースは、あらかじめスリーブに取り付けられているので、一度、ねじれが起こると、あらかじめ取り付けられたホースを持つスリーブを除去し、そののち、それ自身のあらかじめ取り付けられたホースを持つ、まったく新しいスリーブを位置させ、取り付けることが必要となるであろう。これは、上記したのと同じ理由で問題を発生するものであり、加えて、救急部門環境において、さらにより多くの混沌を導入することとなる可能性がある。
【００１８】
このように、血圧は、信頼性よく測定する必要があり、かつ、病院またはＨＭＯ治療センターにおいて見られるもののような、広い範囲のマニュアルまたは電子的血圧測定設備あるいは装置の使用を通して、広い範囲の電子的なまたはマニュアルの血圧測定が、交換可能に、かつ最小の混乱でもって行なわれることを、よりよく可能にすることの必要が、ある。
【発明の開示】
【００１９】
これらの、および他の必要は、本発明により達成されるものであり、該本発明は、患者について、血圧測定が、種々の異なる血圧測定設備または装置の使用を通して行なわれることを相互交換可能にする、その間、もし望まれるのであれば、同じカフ／スリーブが患者によりずっと装着されていることを可能にするシステム、方法、およびキットを、与える。言い換えれば、本発明のシステム、方法、キットの使用または実施を通して、患者は同じカフ／スリーブを着け、その間、種々の装置の設計または製造にかかわらず、マニュアルまたは電子的血圧測定設備を用いて多くの血圧測定を行なうことができ、これにより、カフ／またはスリーブを、繰り返し、取り外し、そののち、新しいスリーブ／カフを配置し、再取り付けする必要をなくすことができる。さらに、本発明のシステム、方法、キットは、数個の血圧測定装置のうちの任意のものが、各患者が着けているカフの大きさおよびタイプにかかわらず、および／または、該複数ピースの血圧測定装置の設計および製造にかかわらず、複数の患者のいずれかに接続されることを可能にする。
【００２０】
本発明の好ましい側面によれば、膨張可能なカフは、患者の肢の周りに巻きつけられるよう適合され、ここで、該カフは、内部チャンバー、および外部表面を含む。該カフは、破棄可能（すなわち、その患者のみに使用されることを意味する）であってもよいし、あるいは、耐久性のある（すなわち、１以上の患者に再使用可能である）ものであってもよい。第１のアダプターは、カフに接続されており、該第１のアダプターは、該カフの外部表面と、内部チャンバーとの間の直接の流体通信を与える開口を含む。第２のアダプターも、また、設けることができ、そのときには、第１のアダプターと、開放可能に、かつ直接の流体通信をして接続され、ここで、第２のアダプターは、複数の異なる血圧測定装置の任意のものと個々に相互交換可能な流体通信を許し、血圧測定が行なわれることを可能とする。もし望まれれば、第２のアダプターは、カフ開口と直接の流体通信をするチャンバーよりなり、ここで、該チャンバーは、もしまた望まれれば、汚染を集めるための少なくとも１つのスクリーニング要素を含むことができる。
【００２１】
第１のアダプター（および、もしあれば、第２のアダプター）は、任意のサイズ、および／またはタイプのカフが、種々の異なる血圧測定装置のいずれかと、急速に、かつ容易に、個々に流体通信状態に置かれることを可能にし、多くの患者のために、個々に血圧測定を行なうプロセスを可能とする。このように、この好ましい側面によれば、真に交換可能な、多用途のかつ、使用の容易な血圧測定システムが与えられる。
【００２２】
任意に、この個々の相互接続は、少なくとも１つのホース取付体の使用を通して遂行され、該取付体は、第２のアダプターへの接続のための第１の端、および、複数の血圧測定装置の１つへの相互交換可能な個々の接続のための第２の端を持つ。このように、相互交換可能性は、少なくとも２つの重要な方法で与えられる。第１に、本発明のシステムは、一人の患者について、異なる血圧測定装置または設備により多くの血圧測定が行なわれることを可能にするために、カフまたはスリーブを置き換えるために、単に第２のアダプターおよび／またはホースの取り付けを、必然的に伴う。第２に、かつ同様の調子で、ホースおよび第２のアダプター取付体は、同じ、または異なる血圧測定装置を用いて、かつ患者により着られるカフのサイズおよび／またはタイプにかかわらず、多数の患者について血圧測定が行なわれることを、より容易に可能とする。このような相互交換可能性は、現在利用されているそれらのシステムに比し、価値のある時間の節約、および設計の柔軟性を与えるものである。
【００２３】
本発明のこの好ましい側面にしたがって、カフは、単一スリーブよりなり、ここで、該カフの内部チャンバーは、限定されない例として、該スリーブの第１の端を、該スリーブの第２の端に接続することにより形成することができる。あるいは、該カフは、２つの接続されたスリーブよりなることができ、ここで、該内部チャンバーは、２つのスリーブの間に定義される。該カフは、複数の患者に適合するよう任意のサイズを予測することができ、それらに限定されるものではないが、現在、技術において、乳幼児サイズ、小児サイズ、小さい大人サイズ、大人サイズ、大きい大人サイズ、および大腿部サイズと言われるものを含む。該カフサイズは、一般に、該カフ上の文字指標、カラー指標、図形指標、または文字および図形指標により指示されることができる。
【００２４】
また、この好ましい側面にしたがって、第１のアダプターは、実質的にカフの外部表面内に位置しているソケットによって、または、少なくともその一部が、カフの外部表面から所定の距離だけ（たとえば、１ｍｍから１５ｍｍの範囲で）突出しているフィッティングによって定義することができる。該第１のアダプターは、さらに任意の半径方向シール、それは存在するときは、カフの外部表面と通信し、特定の取付条件に依存して第１のアダプター開口の直径より大きいまたは小さい直径を持つもの、を含むことができる。該第１のアダプターは、さらに、該半径方向シールを、もしこれが存在するときは、囲み、該カフの外部表面と接触するメインボディーを含む。任意に、該第１のアダプターは、該第１のアダプターの該カフの内部チャンバーへの接続を可能とする、または有効とするようフランジ（すなわち、下に横たわるフランジ）を含むことができ、ここで、このような接続は、限定されない例により、溶接（すなわち、ＲＦ溶接、超音波溶接、化学溶接、熱溶接）、ボンディング、またはシーリングにより行なうことができる。
【００２５】
さらに、この好ましい側面によれば、第１のアダプターの全体は、単一材料からなっていてもよく、あるいは、２つまたはそれ以上の異なる材料からなっていてもよく、ここで、“異なる”は、１つまたはそれ以上の側面において同一でない、を意味する。例として、第１のアダプターのメインボディーは、第１の材料からなることができ、かつ、第１のアダプターの残りの１つまたはそれ以上の部分（たとえば、第１のアダプターのリム、および／またはリッジ）は、第２の比較的より硬い（すなわち、柔軟性の少ない）材料からなっていてもよい。また、第２のアダプターは、もし望まれるのであれば、ほこりおよび／または残がいのような望まれない外部物質および／または汚染物を集めるよう、１つまたはそれ以上のスクリーニング要素を含んでいてもよく、ここで１つまたはそれ以上のスクリーニング要素は、第２のアダプターと一体となっていても、および／またはこれに取り付けられていてもよい。
【００２６】
よりさらに、この好ましい側面によれば、第１および第２のアダプターは、解放可能に接続されており、これにより、第２のアダプターは、第１のアダプターに接続される間、少なくとも部分的に（かつ、もし望まれるなら実質的に全体的に）回転可能となっており、該第２のアダプターに取り付けられたホースのねじれを妨げる、あるいは少なくとも禁止するようにしている。前記第１のアダプターと第２のアダプターとの間の解放可能な接続は、制限されない例として、スナップ嵌合、摩擦嵌合、かしめ、スレッド係合の方法により、あるいは第２のアダプターのフランジを第１のアダプターのエラストマー材のリップ上に取り付けることにより、達成することができる。もう１つの制限されない例によれば、第１のアダプターと第２のアダプターとの開放可能な接続は、第２のアダプターが、第１のアダプターの指または他の突出部が、たとえばスナップ結合によりあるいはかしめによりその中に嵌まるリセスを有することにより行なうことができる。さらにもう１つの制限されない例によれば、第１のアダプターと、第２のアダプターとの間の開放可能な接続は、第１のアダプターを、第２のアダプターと触知性通信をするよう保持する、あるいはそれから開放するために、第２のアダプターに所定の動きに従って（たとえば、ボタンの押下により、あるいはトリガーの活性化により）内側に、あるいは外側に伸張するプランジャー様の機構を設けることにより達成することができる。
【００２７】
上記したように、かつ本発明のまたさらにこの好ましい側面によれば、第２のアダプターは、複数の血圧計測装置のいずれかに対する相互交換可能な個々の接続（すなわち、同時でない接続）のために、適合されている。このような個々の接続は、少なくとも１つのホースの一端を、第２のアダプターの少なくとも１つの突出するやじりのかかりに、または第２のアダプター内に定義された少なくとも１つのリセスに、取り付けることにより行なうことができる。取り付けられたホースは、その中で定義された単一ルーメン、または１以上のルーメンを持つことができる；限定されない例によっては、第２のアダプターは、一般に、もし取り付けられたホースが単一ルーメンを持てば、それの中に定義された１つのやじりのかかりまたは１つのリセスを有し、一方、第２のアダプターは、一般に、もし取り付けられたホースが２つのルーメンを持てば、２つのやじりのかかりまたは２つのリセスを有する。
【００２８】
もし望まれるなら、第２のアダプターは、第１のアダプターとホース取付体との間の導管として働き、かつ同時にこれらの２つの領域の間の流れを区分するよう、設計されることができる。これは、限定されない例により、第２のアダプターを、第１のアダプターの開口、および取り付けられたホースの第１のルーメンと直接流体接続する第１のチャンバーを含み、かつ第１のアダプターの開口、および取り付けられたホースの第２のルーメンと直接流体接続する第２のチャンバーを含むよう設計することにより、行なうことができる。第１のチャンバーと、第２のチャンバーとの間には分割ゾーンが設けられ、ここで、該分割ゾーンは、第１のチャンバーと第２のチャンバーとの間の流体通信を最小化するのに有効である。該分割ゾーンは、第１のチャンバーと接触する第１の壁、および第２のチャンバーと接触する第２の壁により形成することができ、ここで、第１のチャンバーと第２のチャンバーとの間に、該第１のチャンバーと第２のチャンバーとを所定の距離（たとえば、約１ｍｍから約１０ｍｍ）だけ離すように、チャネルが定義される。該第１のチャンバーと第２のチャンバーとは、同一の形状または異なる形状を持っていてもよく、ここで、例示的な同一の形状は、半円形状および半楕円形状を含むが、これらに限定されない。
【００２９】
本発明の血圧測定方法の好ましい側面に従い、血圧測定は、内部チャンバーおよび外部表面を持つカフを与えることにより、１つまたはより多くの、同様のまたは異なる血圧測定装置を用いて行なうことができ、ここで、第１のアダプターは、前記カフ内に実質的に配置されており、かつ該カフの外部表面を通して露出されている。前記第１のアダプターは、前記カフの内部チャンバー内に伸び、前記カフの外部表面と内部チャンバーとの間に直接の流体通信を与える開口を含む。該カフおよび第１のアダプターは、一般に本発明の好ましいシステムに関して、上記したものと同じ特徴を持つであろう。
【００３０】
好ましい方法をさらに進め、カフは、患者との触知的通信状態に置かれ（例えば、患者の腕の回りに巻かれることによって）、かつ、第２のアダプターは、第１のアダプターと第２のアダプターとの間に直接の流体通信があるように、第１のアダプターに解放可能に接続される。それは、今度は、第１のアダプターとカフ／またはスリーブの内部との間に、直接の流体通信があることにより、第２のアダプターとカフ／スリーブの内部との間の流体通信を可能とする。第２のアダプターの特徴、およびそれを第１のアダプターに接続する方法は、また、一般に、本発明の好ましいシステムに関して上記で議論したものと類似している。
【００３１】
さらに好ましい方法をさらに進め、複数のホースまたはホース取付体のうちの１つが選択され、そこでは、該選択をそれから行うことのできる複数のホースは、第１の端、第２の端、およびそれらの間に定義される単一ルーメンを持つ、少なくとも１つのホースばかりでなく、第１の端、第２の端、およびそれらの間に定義される１より多いルーメンを持つ、少なくとも１つのホースを含む。該選択されたホースの第１の端は、そののち、第２のアダプターに接続され、該選択されたホースの第２の端は、少なくとも第１のピースの設備に接続されて血圧測定が行なわれることを可能とし、ここで、第１のピースの設備は、任意のマニュアルまたは電子的な血圧測定装置である。
【００３２】
この好ましい方法は、１つまたはそれ以上の、同様のまたは異なる血圧測定装置を用いて血圧測定が行なわれることを可能とする。これらの測定は、たとえば、選択されたホースの第２の端を、第１のピースの設備から外し、かつ、該第２のホースの第２の端を、第１のピースの血圧測定装置と同様のまたは異なる第２のピースの設備に接続して、同様のまたは異なる血圧測定が行なわれることを可能とすることにより、前記第２のアダプターに接続された選択されたホースを除去することなく、行なうことができる。あるいは、これらの測定はまた、たとえば、第１の選択されたホースの第２の端を、第１のピースの血圧測定装置から外し、そののち、第１の選択されたホースの第１の端を、第２のアダプターから外すことにより、第２のアダプターに取り付けられた第１の選択されたホースの除去を通して行なうことができる。そののち、複数のホースのうちのもう１つが選択されて、その第１の端が第２のアダプターに接続され、かつ前記複数のホースのもう１つの第２の端が第２のピースの設備に接続されて、別の血圧測定が行なわれることを可能とする。
【００３３】
本発明のもう１つの好ましい側面によれば、患者の血圧の相互交換可能な測定を、種々の方法で、および／または種々の血圧測定設備または装置の使用を通して可能とするよう、キットを、種々の設備を含んで、あるいは含むよう適合されて、設けることができる。該キットは、一般に、患者の肢の周りに巻かれるよう適合された少なくとも１つのカフを含み、ここで、各カフは、内部チャンバーおよび外部表面を含むであろう。該カフの種々の特徴は、一般に、本発明の好ましいシステムに関して上述したものと、類似または同じである。該キットは、また一般に、該カフの外部表面内に実質的に配置された第１のアダプターをも含み、ここで、該第１のアダプターは、該カフの内部チャンバー内に伸び、該カフの外部表面と内部チャンバーとの間の直接の第１の流体通信を与える開口を含むであろう。第１のアダプターの種々の他の特徴はまた、一般に、本発明の好ましいシステムに関して上述したものと、類似または同一である。
【００３４】
好ましいキットはまた一般に、少なくとも１つの（および、任意には、複数の）追加的なアダプターを含み、そのおのおのは、第１のアダプターと、前記少なくとも１つの追加的なアダプターとの間の直接の流体通信を与えるために、第１のアダプターへの接続（たとえば、個々の、解放可能な接続）のために適合されている。好ましいキットは、一般に、そのおのおのが、第１の端および第２の端を有する、複数のホースまたはホース取付体をも含むであろう。前記複数のホースの各々の第１の端は、前記少なくとも１つの追加的なアダプターの１つ、いくつか、またはすべてに対する、前記少なくとも１つの追加的なアダプターのおのおのから突出する１つまたはそれ以上のやじりのかかりを介しての、または該少なくとも１つの追加的なアダプターのおのおの内で定義された１つまたはそれ以上のリセスを介しての、個々の接続に適合されている。前記複数のホースの各々の第２の端は、血圧測定が行なわれることを可能とするために、少なくとも１つのピースの設備のうちの１つ、いくつか、またはすべて、への個々の接続のために適合化されている。本発明の好ましいシステムに関して上記したように、複数のホースの各々は、そのなかで定義された、単一ルーメン、または１より多いルーメンを持つことができる。任意に、もしホースが、その中に定義された２つのルーメンを持てば、追加的なアダプターの１つまたはそれ以上は、本発明の好ましいシステムに関して上記で議論されたように、第１のチャンバー、第２のチャンバー、および分割ゾーンを、持つであろう。
【００３５】
本発明のさらなる他の、側面、実施形態、および利点は、以下に詳細に、議論される。
【発明を実施するための最良の形態】
【００３６】
本発明は、いくつかの好ましい実施形態を参照してここに記述され、その各々は、特に、血圧測定装置に関するものである。しかしながら、ある他の変形および修整が、ここで記述された発明的概念ばかりでなく、さらには、気圧計、圧力容器指示器、圧力感受性スイッチ、バルブ、および文字どおり、任意の圧力応答要素を必要とする産業上の、および医用装置における使用を含む血圧測定以外の他の応用を、利用して行なうことができることは、当業者にとって自明であろう。さらに、かつ、以下の議論のコースを通して、“上方へ”、“下方へ”、“上の”、“下の”、“上面”、“底面”、“垂直に”、“水平に”等の用語は、以下の図面に関する、参照フレームを与えるように、用いられる。これらの用語はしかしながら、以下で記述された発明に関して、限定的なものとして扱われるべきではない。 
【００３７】
さらに、いくつかの、定義を必要とする用語が用いられる。“ギアレス”は、ギアあるいはギアのような要素を含まないゲージハウジング内に配置された任意の移動機構を言及する。ここで用いられる“ホースレス”は、圧力測定装置のゲージハウジングと、膨張可能なスリーブとの間の、それらの間の中間のホースのない直接接続に言及する。圧力測定装置のためのホースレス取付けのいくつかの好ましい実施形態が、以下のコースの議論の全体を通して、記述される。ここで使用される“接続される”は、可逆的に（すなわち、解放可能に）または直接接触して非可逆的に結合されている状態に言及する。
【００３８】
図１を参照して、本発明の第１の実施形態に従ってつくられた血圧測定デバイス、または装置が、示されている。該装置１０は、周縁状内壁１６、開放上端１８、および底端２０を持つ、実質的に筒状のゲージハウジング１２を含む。ガラス、プラスチック、または他の適切な透明材料からなる観察窓またはバブル２２は、ゲージハウジングの開放上端１８に、公知の方法で取り付けられている。ゲージハウジング１２の底端２０は、流体を受け入れる入力ポートとして働く底面開口２６を有する狭い下方に延びる部分２４に、内側にテーパーダウンしていく直径を持つ。好ましくは、狭い伸びる部分２４の直径は、ハウジング１２の主要部１２の直径の約1／３であり、ここでこのパラメータは、応用に依って適切に変更することができることは、明らかである。
【００３９】
ハウジング１２の内部キャビティ１４は、水平に配置された支持プレート２８を含み、多くの構成要素を保持する大きさとされている。該支持プレート２８は、対向する上、および下フェース面３０、および３２、および中央のスルー開口３４を持つ、一般にプレーナな要素である。支持プレート２８の上フェース面３０に取り付けられた、プレス嵌合された、またはそうでなければ、適切に取り付けられた、あるいは一体のスリーブ３６は、支持プレート２８の中央スルー開口３４内に伸びるものであり、かつ移動機構４０を保持するために用いられるものであり、以下に、より詳細に記述される。
【００４０】
該ハウジング１２の周縁状の内壁１６は、さらに、水平支持プレート２８の外側端２１を、ハウジング１２内でその直下にかつ所定の高さ位置に支持するような大きさとされた、そり返り部１９を含む。中央スルー開口３４は、ハウジング１２の底面開口２６と実質的に並んでいるものとして示されるが、しかし、この特定の配列は、本発明の作用に関し臨界的なものではなく、変化させ得るものである。
【００４１】
図１、および図２を参照して、ダイヤフラムアセンブリー４２は、水平支持プレート２８の底フェース面３２に非固定で取り付けられた可撓性ダイヤフラム４４を含む。該ダイヤフラム４４は、実質的に水平にプレーナであり、複数の波状表面４９を含む。該ダイヤフラム４４の外側端４７は、ハウジング１２の底端２０から上方に伸びる周縁状の水平出っ張り４５の上に配置されたＯリング４６によりクランプされている。該Ｏリング４６は、ダイヤフラム４４を適所に支持するばかりでなく、内部キャビティ１４の底面のための流体密封シールを与える。
【００４２】
実質的に水平のプレーナであるダイヤフラム４４の最も中央の部分は、以下でパン４８と言われる、ダイヤフラム４４の残りと半田付けされた、あるいは固定された、さらには一体である下方伸張部を含む。該パン４８は、組み立てられるとき、ハウジング１２の下方伸張部２４内に伸びる中空の筒状のセクションであり、プレス嵌合されたスリーブ３６の幅寸法と実質的に等しい幅寸法を持つキャビティ５０を含む。該パン４８の下端５３は、硬化された内側コンタクト面５２を含む。
【００４３】
特に、図１を参照して、移動機構４０は、突出する上端、および底端５７、５５をそれぞれ除いて、中空のチューブ状要素５６の中に全体が収容された軸方向に変位可能なシャフトメンバー５４を含む。薄い可撓性のリボン状のばね要素７０が、一端６１では、チューブ状要素５６の底端に隣接してチューブ状要素の固定部分に、かつ、対向する残りの端５９では、その周りにリボンばね要素７０がヘリカル状にかつスパイラルに巻かれた軸方向に変位可能なシャフト要素５４に、固定して取り付けられている。中空のチューブ状要素５６は、プレス嵌合するスリーブ３６内の対応する内部スレッド７５と係合する、その長さの上方部分に渡って伸びる１組の外部スレッド７３を含む。リボン状ばね要素７０は、望ましくは、べリリウム銅、スプリングスティール、または他の類似の材料からつくられる。
【００４４】
中空のチューブ状要素５６は、該要素の残りの直径より大きい直径を持つ一体的な上端キャップ部５８を含み、該キャップ部は、プレス嵌合されたスリーブ３６の環状リセス６９内に配置されたバイアスするばね６８に対して耐える肩部を持つ。該上端キャップ部５８、およびバイアスするばね６８は、移動機構４０の全体感度を調整するのに用いられる。
【００４５】
正確に置かれるとき、移動機構４０のほとんどは、水平支持プレート２８の下に、かつハウジング１２の下方伸張部２４内にすでに位置しているパン４８内に定義されたキャビティ５０内に、伸びている。この位置において、シャフトメンバー５４の伸びる底端５５は、硬化されたコンタクト面５２の近傍にある。
【００４６】
また図１を参照して、測定指標（図示せず）を持つダイヤルフェース６３は、プレス嵌合されたスリーブ３６に嵌まる大きさとされた中央開口を介して、水平支持プレート２８の上フェース面３０に取り付けられている。チューブ状スリーブ３６のスロット６７内に配置されたＯリング６５は、ダイヤルフェース６３の内側エッジと係合し、指示要素６２は、シャフト要素５４の突出する上端５７に搭載されている。彼の設計において有用な、好ましい軽量の指示要素は、米国特許第６，６４４，１２３号明細書において記述されており、その全体の内容は参照によりここに組み入れられる。
【００４７】
動作において、ハウジング１２の底部開口２６に入る流体（この例では、空気）の圧力変化は、ダイヤフラム４４の対応する動きを生ずる。すなわち、ハウジングの周縁状水平出っ張り４５の上面に対してクランプするＯリング４６によりダイヤフラム４４の外側端４７上に与えられたシールは、空気がさらに内部キャビティ１４内に侵入するのを妨げる。それゆえ、圧力の増加は、内側コンタクト面５２が、軸方向に変位可能なシャフト要素５４の底端５５に対して上方に押し上がりつつ、ダイヤフラムパン４８の軸方向の動きを生ずる。ダイヤフラム４４の上方への動きの結果、リボンばね要素７０の上端は、チューブ状要素５６の底端に固定して取り付けられたばね要素の固定された底端６１に対して伸びる上がることとなる。この伸び上がりは、シャフト要素５４をして、その線形軸の周りに回転させることとなる。軸方向に変位可能なシャフト要素５４の回転は、それゆえ、シャフト要素５４の上端５７に取り付けられた指標要素６２の、ダイヤルフェース６３上の測定指標（図示せず）に対する、対応する周縁状の動きを生じることとなる。
【００４８】
上記圧力測定装置１０のゼロ調整は、以前から公知のデバイスに比較して、比較的に簡単な手続きである。第１に、観察窓２２は、ゲージハウジング１２の開放上端１８から除去される。ダイヤルフェース６３の内側端に対するＯリング６５の係合は、ダイヤルフェースが、指標要素６２の位置に対して自由に回転されることを許す。感度調整は、また、デバイス１０の上面にて、上面キャップ部５８を、プレス嵌合されたスリーブ３６の環状リセス６９内でバイアスばね６８に対して回転させて、与えられた回転についてのリボンばね要素７０の感度を調整することにより、行なうことができる。同様のメカニズムは、前に組み入れられた米国特許第６，１６８，５６６号明細書において、記述されている。
【００４９】
上記装置の変形は、可能である。たとえば、かつ図２を参照して、Ｏリングの代わりに、ダイヤルフェース６３Ａおよび／または水平支持プレート２８Ａは、ダイヤルフェースが除去しなくても回転することを可能とするために、チューブ状スリーブ３６Ａ上に設けられた肩部８０に対比して、それらの中央開口に隣接して適切にテーパーすることができる。あるいは、移動機構４０は、米国特許第５,９６６,８２９号明細書、および米国特許第６,１６８,５６６号明細書において記述されたゼロ調整特徴を含むことができる。ちなみに、図２は、上記議論を明確に有効とするよう、全体アセンブリーの一部のみを描いている。
【００５０】
本発明の第２の実施形態によるハウジングの設計は、図３に図示されている。同様の部分は、ここで明確性のために、同じ参照符号をもってラベルされる。上記におけるように、該デバイスは、一連の波状表面４９を持つばかりでなく、下方に伸びる部分またはパン４８を持つダイヤフラム４４を含むダイヤフラムアセンブリー４２を保持する大きさとされた、内部キャビティ１４を持つゲージハウジング１２を含む。該デバイスはさらに、実質的に水平に配置されたプレーナな支持プレート２８を含み、ハウジング１２はさらに、下方に伸びる狭くされた部分２４を持つ。移動機構４０は、該機構の軸方向に変位可能なシャフト５４の底端５５が、ダイヤフラムアセンブリー４２のパン４８の硬化されたコンタクト面５２の近傍に配置されるよう、水平支持プレート２８内に定義された中央開口３４を通って配置されている。ところで、ダイヤフラム４４は、水平支持プレート２８の底フェース面３２に、シールされていないが、取り付けられている。
【００５１】
底面開口２６を通ってゲージハウジング１２内に入る空気等の流体は、ダイヤフラム４４のパン４８の、軸方向に変位可能なシャフト５４に対する偏位を生じ、これにより、該シャフトの、取り付けられたリボンばね要素７０の手段による回転を、既に記述した態様に従って生じる。
【００５２】
この特定の実施形態によれば、該装置は、ハウジング１２の狭い下方伸張部２４の外面上に設けられたドッキングハブ８２を含み、該ハブは、Ｏリング１１８、または他の同様のシール要素を保持する大きさとされた周縁状溝１１４を含む。例えば、ドッキングハブ８２は、パイプ、または他の形の公知のスレッド（図示せず）を利用する。該ドッキングハブ８２は、該装置が、他の現存する圧力源を持つ圧力デバイスハウジング、例えば、米国、ニューヨーク州、スカニーアテレスフォールズのウェルチアリン社によって製造されたもの、に取り付けられることを許すような十分な修整を与える。ちなみに、ハウジング１２の底面開口２６の位置は本質的ではない、ことに注意すべきである；すなわち、入ってくる流体は、開口がＯリング１１８により与えられるシールの下にあるかぎり、水平に、あるいは他の態様で配置されたポートのいずれかから、ハウジング１２に入ることができる。
【００５３】
さらに、変形例を図示するために、かつ図４を参照して、本発明に従ってつくられたハウジング１２Ｂの第３の実施形態は、ダイヤフラム４４Ｂを含み、これは、以前の実施形態と異なり以前に記述されたものよりかなり狭い全体の幅寸法を持つ実質的に垂直のメンバーである。その結果、水平の支持プレートは、上記で説明したものでの必要ではない。
【００５４】
以上の実施形態におけるように、ダイヤフラム４４Ｂの外側端は、プレス嵌合されるスリーブ３６Ｂの肩部に該外側端を有効にクランプするＯリング４６Ｂ、または他のシール要素を用いてシールされる。移動機構４０は、本質的にプレス嵌合されるスリーブ３６Ｂ内の中央開口を通って配置され、それとスレッド係合される。移動機構４０の多くは、本質的に垂直のダイヤフラム４４Ｂにより定義されるキャビティ内に配置されており、この実施形態の特別のダイヤフラムは、垂直に配置された波状表面４９Ｂを持つ。バイアスするばね６８Ｂを用いて移動機構４０の感度を制御する調整は、以前に記述された態様でなされる。
【００５５】
全面的に、本実施形態のハウジングは、ゲージハウジング１２Ｂの上部について、大変浅いプロファイルを定義する。示されていないが、ゲージハウジング１２Ｂの底端２０Ｂは、該ゲージハウジングを他のゲージハウジング（図示せず）内に、以前に記述されたように改良された、あるいは新しいアセンブリーのいずれかとして、確保するドッキングハブとして使用することができる。さらにここで述べられたように、このドックキングハブは、ゲージハウジングと、膨張可能な血圧スリーブとの間の直接のホースフリー接続を許すことができる。
【００５６】
図５を参照して、本発明の第４の実施形態に従って形成されたゲージまたは装置ハウジング１４０は、ここで、血圧カフまたはスリーブ１４２と結合して記述される。本実施形態の目的のために、装置ハウジング１４０は、その内容が参照によりここにその全体が組み入れられる米国特許第６、０３６，７１８号明細書において詳細に記述された、特定の血圧カフとともに使用される。要約すれば、膨張可能なカフ１４２は、膨張可能な内部体積１４８を持つ一体的な空気袋のない構造を形成するよう、一連の連続的なＲＦ（ラジオ周波数）溶接を用いて一体にシールされる一対のスリーブ１４４、１４６を用いて製造される。動作において、カフ１４２は、そののち、従来において知られているように、患者の腕１７０（部分的に示される）または他の肢の回りに、巻きつけられる。
【００５７】
ゲージハウジング１４０は、上部ハウジング部１５２、下部ハウジング部１５２、および接続する中間部１５６を含む。上部および下部ハウジング部１５２、１５４は、実質的に断面筒状であり、かつほぼ同じ寸法をもち、一方、中間部分１５６は、各接合するセクションよりかなり狭い実質的により小さい直径を持ち、これによりヨーヨーに良く似た形状を定義する。本実施の形態によれば、中間部分１５６は、残りの部分１５２、１５４の直径のほぼ１／３である直径を持つが、しかし、このパラメータは、そこで使用される移動機構の相対的な大きさに依存して変化させ得ることは容易に明らかであろう。上記の部分１５２、１５４、および１５６のおのおのは相互接続されて、かつ中空であり、内部キャビティ１５８を形成するように結合している。
【００５８】
本実施形態によれば、水平支持プレート１６５（幻想線で示される）は、ハウジング１４０の下方部分１５４内に位置しており、一方、ダイヤルフェース１６７（これもまた、幻想線で示される）は、上方部分１５２内に配置されている。移動機構１７１（これも幻影線で示される）、これは以前に記述されたものに構造的に類似している、は、ダイヤルフェース１６７、と支持プレート１６５を相互接続し、かつ主に中間部分１５６内に位置している。
【００５９】
この実施形態によれば、ボタン穴状のスロット１６２は、内側および外側スリーブ部１４４，１４６の両方でカットされている。該スロット１６２のエッジは、シールされている。上記スロット１６２は、ハウジング１４０の下側部分１５０ばかりでなく、中間部分１５６のためのボタン状の保持を与え、その上側部分１５２は、カフ１４２の外部から突出している。ポート１７６は、空気バルブ（図示せず）により公知の方法で膨張せられるカフ１４２の膨張可能な内部体積１４８に、ホース１７８を介して接続されている。
【００６０】
動作において、該デバイスは、取り外し可能な聴診器アダプター１６６が下方ハウジング部１５４の底面にも取り付けられ得ることを除いて、以前に記述したのと同様に動作し、これにより集積ユニットを形成する。下方部分１５４の底面は、本実施形態によれば、アダプター１６６上に設けられた雌コネクター１７４または他の適切な手段と係合する大きさとされた、伸張取付部１７４を含む。すべての以前に知られているカフは、カフと聴診器との間の分離を必要とする。上記ハウジング１４０の全体の浅いプロファイルにより、アダプター１６６の使用は、きわめて有利な相互接続を許す。
【００６１】
聴診器アダプター１６６は、ポート１８４に取り付けられた接続するイヤーピース（図示せず）を持つ聴診器のベルを形成する円錐要素である。使用において、該アダプター１６６は、ハウジング１４０に対し自由に回転可能であり、患者または注意喚起者による審査が等しくよく行なわれることを許す。聴診器の全体的な働きは、一般に知られており、ここに記述された発明的概念の一部を形成するものではない。
【００６２】
図６−図８を参照して、本発明の第５の実施形態によりつくられた血圧測定装置が、示される。上記におけるように類似の部分は、明確性のために同じ参考数字でラベルされる。この装置は、一体にシールされて集積構造を形成し、膨張可能な内側体積１４８を定義する一対のスリーブ部を含む、以前に組み入れられた‘７１８特許において記述されたものと同様のＲＦ溶接血圧スリーブ１４２を含む。該スリーブ１４２は、共通に知られる態様で、患者（図示せず）の腕または他の肢の周りに巻かれるような大きさとされており、それゆえさらなる説明を必要としない。ソケット１９０は、スリーブ部１４４のうちの１つの外表面上に設けられた開口内に配置、固定されており、該ソケットは、装置またはゲージハウジング１９４のはめ合い部分を受ける大きさとされている。この実施形態による装置ハウジング１９４は、狭くされた底部部分を含む以前に記述されたものと同様であるが、しかし、これにおいては、該底部部分はまた、ボール形状の係合する、またははめ合う端１９６を含む。組み立てられるとき、ボール形状係合端１９６は、スリーブのソケット１９０内に、それとの直接の流体およびシール接続を与えるように適合されており、該ゲージハウジング１９４は、参照符号１９８により示されるように、ソケット１９０の回りを、参照符号１９８により示されるように、スリーブ１４２の平面に対して自由にピボットできるようになっている。
【００６３】
係合端１９６は、スリーブ１４２の内部と流体通信する開口２００を含み、ここで、流体（例えば、空気）は、ゲージハウジング１９４の内部に入ることができ、ダイヤフラムおよび収容された移動機構（この図では示されていない）の、上記に説明したような態様での、対応する動きを生ずる。
【００６４】
好ましくは、ハウジング１９４の観察窓２２は、まぶしい光を低減する、または実質的に低減するよう抗反射コーティグを含み、ユーザ（医者、または注意喚起者）または患者は、装置を有効に利用し、かつダイヤルフェースを読むために、ハウジングを移転させるか、これをピボットさせる能力を持つ。このように、ゲージハウジング１９４は、患者の右腕の、あるいは左腕のいずれの測定においても有効に使用される。この能力を取り付けられたゲージハウジングにさらに与えるスリーブは、以下で詳細に記述される。
【００６５】
また、図６−図８を参照して、該デバイスは、ゲージハウジング１９４の外側周囲の回りにプレス嵌合して係合しているゴム引きの環状ガードまたはバンパー２０２をさらに含み、該バンパーは、観察窓２２の上に所定の距離だけ伸びるリッジ２０６を持つ。該バンパー２０２は、少なくとも２つの機能を遂行する；第１は、現在の装置は極めて軽量であるが、該バンパーは、さらに、該ハウジング１９４が落下したときのショック、または衝撃負荷を吸収する。第２に、該バンパー２０２はまた、観察窓２２への損傷の可能性を減少する。
【００６６】
つづく実施形態においてより詳細に記述されるように、装置、またはゲージハウジングの狭くされた底部部分のはめ合いまたは係合端は、スリーブソケット１９０内への収容のために“ボール形状”を含むことを必要としない。例は、図９−図１４を参照して、以下に議論される。
【００６７】
さらに、文字通り、圧力応答メンバーを含む任意のゲージハウジングを、ハウジングとスリーブとの間にホースを必要とすることなく（ホースレス）、血圧スリーブとの直接係合のために構成できる、あるいは改良できることもまた明らかであろう。さらに、これらのハウジングは、単に以上で記述した機械ベースのゲージハウジングに限定されるものではなく、もし電子的なバージョンが適切なはめ合いまたは係合端を含む、あるいは含むよう適合されていれば、電子的なバージョンを上記したスリーブに改良することができる。
【００６８】
先行技術の機械的システムの一例は、部分的に図１５に示され、かつ従来の移動機構２９２を保持するゲージハウジング２９６により定義される。該移動機構２９２は、ゲージハウジング２９６の底面開口２９９を通して伸びるスレッド端２９７を含み、かつその入力端が空気バルブ３０７を含む、チューブ状要素３０５のポート３００のはめ合うスレッド端内に受け入れられている。使用においては、チューブ状要素３０５の出力端３０９は、血圧スリーブ（図示せず）の結合子にまで伸びるホース（図示せず）を受け入れる。
【００６９】
図１６、および図１７をそれぞれ参照して、以前記述されたものと同様の態様で血圧スリーブ３２４に相互接続され得る、一対の公知の機械的なゲージハウジング２９４、３０６が示されている。これらの従来のハウジング２９４、３０６のおのおのは、図１５のものと同様に、これまでに明確に詳細に示されたものよりコンパクトさが少なく、これは主にその中に含まれる移動機構の複雑さと大きさのためである。しかしながら、ゲージハウジング２９４、３０６のおのおのは、図１５のハウジング内部と空気バルブ３０７との間の流体通信を可能とする、スレッド係合端または入力ポート２９８、３１０を共通に含む。空気バルブ３０７は、ホース（図示せず）を用いて入力ポートに接続されている。以前にも記したように、係合端または入力端を有し、かつ文字通り任意の形の移動機構を含む任意のゲージハウジングは、本発明によれば、膨張可能なスリーブとのホースレスの相互接続のために再構成することができる。多くのさらなる例は、この点をさらに図示するために、今、記述される。
【００７０】
本発明によって、かつゲージハウジング２９４、３０６を改良するために、スレッドされた入力ポート２９８、３１０の端は、膨張可能な血圧スリーブ３２４内に設けられたソケット３２０内でシール係合できる大きさとされたアダプターまたはキャップ３０２によりカバーされ得る。該キャップ３０２およびソケット３２０は、各々、図１６および図１７に示されるように、膨張なスリーブ３２４への取付けに際し、スリーブ３２４の内部３２８とハウジング２９４、３０６の内部との間の直接の流体通信を可能とする各開口３０４、３０８を含み、該ハウジングは、好ましくはスリーブにスナップ嵌合される。その結果、図１５の先行技術のアセンブリーに本質的であるホースを含む必要はなく、これにより、膨張可能な血圧スリーブへの直接の、ホースフリーな接続を許すことにより、従来のデバイスの使用をさえ大きく簡単化することができる。
【００７１】
図２０−図２８を参照して、もう１つのシリーズの好ましい実施形態が、本発明により達成される多用途性をよりよく描くために、ここで記述される。以前の実施形態のすべては、いわゆる機械式のホースレス接続に言及しており、すなわち、ゲージハウジングのおのおのは、その性質上機械的である移動機構を含んでいた。しかしながら、上記したように、圧力変化に基づいて結果を生成することのできる任意の形態の移動機構を、利用することができる。
【００７２】
その目的のために、かつ図２０および図２１を最初に言及して、血圧測定アセンブリー４００は、米国特許第６,０３６,７１８号明細書において記述されたような、以前記述されたような空気袋のない血圧スリーブ４４を含み、該スリーブは、スリーブの内部（図示せず）との流体通信を維持する小さい開口４１２を収容するポート４０８を含む。該ポート４０８は、電子的なゲージモデュールまたはハウジング４２０との係合を許すものであり、これは、以下でより詳細に記述される多くの内部構成要素部分ばかりでなく、該ポートとの、それらの間の付加的なホースの必要または要件なしでの、直接の解放可能な接続を許すような大きさとされた近傍端４２４を持ち、該近傍端は揃えられた端開口４２８を含む。スリーブ４０４は、ホース４３８によりスリーブ上に設けられたカップリング４４２につながれた空気バルブ４３４の手段により膨張せられ、該カップリングは、該スリーブの内部内に伸びる開口を持つ。空気バルブ４３４に隣接したブリードバルブ４４６は、従来公知の方法でスリーブ４０４の収縮を助ける。スリーブ４０４は空気袋のないものであって、フープまたはループファスナー４４５でもって、患者（図示せず）の肢の回りに確実に巻きつけることができる。
【００７３】
図２２を参照して、ブロックダイアグラムは、主要な構成要素、この場合、電子的ゲージモデュール４２０内に収容された電子的圧力ゲージの容量トランスデューサーアセンブリー４５０を示す。このトランスデューサーアセンブリー４５０は一般に、刺激（この場合、該刺激は、図２０の、スリーブ４０４から電子ゲージモジュールの内部への流体入力である）に応答する容量圧力センサトランスデューサー４５４を含み、該トランスデューサーは、発振回路４５８に動作可能に接続されている。測定および処理回路４６２は、発振回路４５８の出力に接続されている。測定および処理回路４６２は、データプロセッサー４７０に接続されたカウンタ回路４６６を含み、後者のおのおのは、基準発振器４７４に接続され、該データプロセッサーは、ユーザＩ／Ｏ装置４７５に接続されている。この場合、Ｉ／Ｏ装置４７５は、該モジュールの外側上に設けられた操作ボタン４７６、図２０、ばかりでなく、ディスプレイ４７８、図２１、をも含む。
【００７４】
一般的な動作において、本質的にトランスデューサー４５４のダイナミックな部分は、可変キャパシターである。測定される環境パラメータ（入力する流体圧力）が変化すると、キャパシタンスは変化する。発振回路４５８は、この容量変化をＡＣ信号に変換する。 プロセッサー４７０は、測定された周波数をパラメータ（例えば、圧力）に変換し、該測定されたパラメータは、そののち、ディスプレイ４７８上に表示される。
【００７５】
図２３を参照して、上記アセンブリー４５０での使用に適した容量センサトランスデューサー４５４は、説明の目的のためにより詳細に記述され、該トランスデューサーは、回路基板４８４の表面上に形成された金属導体層４８０を含む容量センサを含む。地導体層４８８は、回路基板４８４の対向する表面４９２上に形成されており、該回路基板はまた、導体層４８０と地導体層４８８との間に配置された、誘電体材料を含む。金属リング４９６は、金属導体５０４を介して挿入されたピン５００により回路基板４８４に接続されている。該金属リング４９６は、回路基板４８４と、金属リング４９６との間に配置された支持プレート５０８からの構造的な支持を受ける。該支持プレート５０８は、導体層４８０と、金属リング４９６の支持面とがコプレーナであるようにし、これにより、機械的な積層耐性を低減する。金属ダイヤフラム５１２は、金属リング４９６とOリング５１６との間に挟まれて回路基板４８４に結合される。それゆえ、金属ダイヤフラム５１２は回路基板４８４上に配置され、かつ導体層４８０に対して可変容量を形成するように並列配置される。金属ダイヤフラム５１２は、スナップオンキャップ５２０により、ダイヤフラムおよび金属リング４９６に対して押し付けられたＯリング５１６により、適所に保持される。スナップオンキャップ５２０は、流体がこれに刺激として入るように位置を揃えられたポート５２２、ばかりでなく、金属リング４９６の端上に嵌まる複数のスナップ５２４を含む。電子回路のセット；より特定的には、センサのための発振回路４５８、測定および処理回路４６２ばかりでなく、基準発振器４７４が、回路基板４８４の裏面４９２に搭載されている。
【００７６】
図２４を参照して、好ましい発振回路の模式図がここに記述される。この回路４５８は、図２４において丁度記述されたような反転ゲート５３０、反転ゲート５３４、抵抗５３８、およびキャパシタセンサー５４０を直列に持つ第１のループを含む。任意の容量５４２が、反転ゲート５３０の入力とグランドとの間に接続されている。任意の容量５４４が、抵抗５３８の出力とグランドとの間に接続されている。容量５４２および容量５４４は、センサー４５０の構成、および回路基板４９２上の発振器４５８が地導体に近いこと、より生ずる浮遊容量と並列になっている。低域フィルタ５４８は、直列抵抗５３８が、容量５４２、容量５４４、および上記した浮遊容量と結合して形成されている。発振回路４５８は、また、抵抗５３８および容量トランスデューサー５４０と並列になっている第２のループを含む。該第２のループは、抵抗５５６と直列の第２の反転ゲート５５２を含む。該発振回路４５８の出力は、測定および処理回路４６２に接続されている。
【００７７】
この発振回路４５８は、上記したように、発振回路４５８のダイナミックな部分が容量トランスデューサー５４０である、ＲＣ弛緩発振タイプの発振回路である。上記センサーおよびトランスデューサーアセンブリーに関する付加的な詳細は、上記発振回路に関して言及された部分を含み、米国特許第６,８２８,８０１号明細書に見出され、その全体の内容は、参照によりここに組み入れられる。
【００７８】
もう１つの適切な電子ゲージモデュール５６０のもう１つのバージョンの内部内にストアされた構成要素の断面図は、図２５に示される。このモデュールは例示的であり、修整および変形が、例えば、米国特許第５，３２３，７８２号および第５，３１６，００６号明細書において見出されるであろうことは容易に明らかである。このモデュール５６０の外観が、図２７および図２８に示され、該モデュールは、上または主要ハウジングセクション５６６、および図２０および図２１に示されたもののように、かつ以前に記述された態様で血圧スリーブ４０４のポートまたはソケット４０８に密封状態で、かつ開放可能にはめ合わせられる大きさとされた近傍係合部分５６８を含むハウジングボディー５６４により定義される卵型の形状を有する。該近傍係合部分５６８は、モデュール５６０の内部内に、特に、回路基板５８６に結合された収容された容量トランスデューサーセンサアセンブリー５８２内にまで伸びる端開口５７２を含み、該センサアセンブリーは、金属ダイヤフラム（この図では示されていない）を持ち、かつ、上記した態様で動作可能である。モデュール５６０の内部はさらに、関連する回路網ばかりでなく、観察窓５８８に対して位置されたＬＣＤ５８４、等のディスプレイを含む上記要素を相互接続するプロセッサー５９４を、含む。上記のおのおのは、モデュール５６０の上方ハウジング部５６６上に配置されたＯＮ／ＯＦＦボタン５９８等の入力手段に以前に記述された態様で相互接続されており、そのおのおのはバッテリ６００により電源供給される。
【００７９】
ハウジングボディー５６４の外部は、さらに、図２７および図２８のみに示される周辺バンパー５７６を示し、これは落下したときに上方ハウジング部５６６を保護するものである。該バンパー５７６は、好ましくはＬＣＤ５８４上に上げられる。モデュール５６０内には、以前記述したものと同様に、容量トランスデューサーセンサアセンブリー５８２を含む多くの部品がある。
【００８０】
図２６を参照して、電子ゲージハウジングまたはモデュール６４０のための、代わりの設計が描かれ、そこでは流体は、圧力感受性スイッチ６５２に取り付けられたバルブ６４８または空気バルブ（図示せず）により規制されてスリーブ（図示せず）からのようにハウジングボディー６４４に入る。前記キャパシタセンサーのようなセンサー６５６は、ポート６６０を通って入力してくる流体ストリームを受け入れるよう動作可能に接続されており、該センサーはミニチュアプロセッサ６６６で保持された回路網により制御される。血圧読み取りは、そののちプロセッサー６６６によりディスプレイ６７０によるいずれかの出力のために計算され、あるいは、該圧力情報信号は、交互に、適切な手段を介して、ＲＦまたはＩＲベースのリンク６７４により遠隔サイト（図示せず）に無線で送信することのできるデジタル値に変換される。
【００８１】
ちなみに、ＲＦ溶接、または接合された膨張可能なスリーブが全体を通して記述されたが、他の形の膨張可能なスリーブは、空気袋のないスリーブ、および空気袋を持つスリーブの両方を含み、本発明の中心的概念を実施して利用されることができる。さらに、他の形のシステムをも、ここで記述された容量センサー以外に用いることができる。例えば、シリコン圧力センサーを含むストレインゲージは、デジタル信号を生成するようアナログ増幅器およびＡ／Ｄ変換器と結合して用いることができる。あるいは、ダイヤフラムは、時間遅延信号を生成するよう一対の超音波トランスデューサと結合して用いることができる。さらにもう1つの例によれば、光学的なバージョンは、レーザー、および干渉フリンジカウントを決定手段として用いることのできる回折格子を用いて、熟慮することができる。
【００８２】
またもう１つの代案によれば、磁気をベースとしたシステムを、ダイヤフラムおよびＬＶＤＴと結合して利用することができる。ＭＥＳベースのバージョンもまた、もし、パッケージングが、スリーブ取付けにとって適当に好都合のものであれば、本発明の範囲内で可能である。上記のおのおのは、ダイヤフラムでもって、ここで、ダイヤフラムの使用は要求されるものでもないが、用いることができる。例えば、ボードン（Bourdon）チューブは、ダイヤフラムに代えて用いることができる。あるいは、スプリングおよびローリングシールピストンをダイヤフラムの代わりに用いることができ、これは無数の可能性のある使用および応用を示すものである。
【００８３】
図９−図１１を参照して、本発明の第６の実施形態によるゲージまたは装置ハウジング２１０が示される。上記におけると同様に、ゲージハウジング２１０は、血圧測定装置と関連して使用され、移動機構２１４、および空気袋のない血圧カフまたはスリーブ２２６のスリーブ部内に形成された一般に筒状のソケット２２２と係合する大きさとされた、はめ合うまたは係合端２２０を有する狭くされた下方部分２１８を保持する上方ハウジング部２１２を、含む。以前の実施形態と異なり、狭くされた下方部分２１８のはめ合い端２２０は、また一般に断面筒状であり、該端は、同様に、図１１に示される端開口２２４を含み、該端開口は、血圧カフ２２６の内部との、これもまたソケット２２２内に形成された対応する開口２２８を介しての流体通信を許し、これにより、流体入力ポートを形成するものである。
【００８４】
ゲージハウジング２１０の上側ハウジング部２１２、および収容された移動機構２１４は、以前に記述したものと同様である。すなわち、移動機構２１４は、ヘリカルに巻かれた薄いリボンばね２４０、それは、一端では軸方向に変位可能なシャフトメンバーに取り付けられ、第２端ではチューブ状のスリーブ要素に上記した態様で取り付けられる、を含む。カフ２２６の圧力変化は、流体をして、端開口２２４を通って狭くされた下方ハウジング部２１８内に入り込ませ、収容されたダイヤフラム２４６に影響を与え、かつ軸方向に変位可能なシャフト要素が上方に変位せられ、リボンばね２４０のバイアス印加に対するシャフト要素の回転、およびシャフト要素の突出上端に取り付けられた支持要素２４８のダイヤルフェースに対する周縁状の動きを生ずる。
【００８５】
狭くされたハウジング部２１８のはめ合い端２２０は、図１１にもっとも明確に示される、周縁状のチャネルまたはノッチ２５０を持つ。該周縁状のチャネル２５０は、ショックおよび衝撃負荷に対する不連続パスを与え、かつそれゆえ、移動機構２１４を含むゲージハウジング２１０の内容物を、該ハウジング２１０が狭くされた下方部分２１８上に着地するときのようなショックまたは衝撃負荷から、有効に衝撃緩和する。
【００８６】
この実施形態により、かつ図９および図１０にもっとも明確に示されるように、ハウジング２１０をショック、または衝撃負荷によるダメージからさらに絶縁するために、上方ハウジング部２１２の外周上に嵌るような大きさの、ゴム引きの周辺ガードまたはバンパー要素２３２が、プレス嵌合されてそれと係合している。該ガード要素２３２は、上方ハウジング部２１２の全外周がカバーされ、該ガード要素が、図９Ａに示される段差部分２３４を含み、これは、上方ハウジング部の上面上に観察窓を含んで伸び、かつその外側周縁エッジに沿って空気ギャップ２３６を定義する点において以前に記述したものと類似している。空気ギャップ２３６は、ゲージハウジング２１０が不自然に着地したときに起こり得る任意の衝撃負荷のための不連続のパスを与える。
【００８７】
図９−図１１の上記実施形態の変形例は可能である。例えば、図１２−図１４を参照して、本発明の第７の実施形態によるゲージハウジング２６０が示される。該ゲージハウジング２６０もまた、上方ハウジング部２６４、および、血圧スリーブ部２２６内に形成されたソケット２２２とはめ合う係合端２７０を持つ、狭くされた下方ハウジング部２６８を有する。この実施形態による上方ハウジング部２６４は、上方ハウジング部が実質的に円形の筒状形状である以前の実施形態に対して、実質的に楕円の筒状断面により定義される。他の形状あるいは配置も考慮することができることは指摘されるべきである。この実施形態によれば、係合端２７０の底面２７６内に設けられた円形フェース溝２７２は、もし落下したとき、あるいは他の方法でそれに作用したときときの該ハウジングに対して与えられるショックまたは衝撃に関して、図１１の周縁状チャネル２５０と同様の機能を与える。
【００８８】
その他は、係合端２７０は同様に、スリーブ２２６のソケット２２２に係合し、ゲージハウジング２６０は、以前に記述したように移動機構（図示せず）を保持している。係合端２７０は、以前にも記述したように、スリーブの内部に伸びるソケット開口２２８を通してスリーブ２２６とのホースレスの流体通信を許す端開口２７１を含む。
【００８９】
本実施形態によれば、ゴム引きのガード要素２８０は、上方ハウジング部２６４の外側周縁の上にプレス嵌合され、本実施形態によるガード要素は、取り付けられたとき楕円形状の上方ハウジング部２６４の外側エッジから伸び、同様に、不連続性、実際はバッファ、を作る衝撃緩和空気ギャップ２８６を与え、ハウジングが落下したとき衝撃負荷からハウジング２６９を絶縁する、半径方向進展部２８４を含む。同様の空気ギャップ２８８は、ショックまたは衝撃負荷に対して追加的な保護を与えるよう、軸方向伸展部２９０内に定義されるように観察窓の上方に設けられる。
【００９０】
図１２Ｂに示されるように、Ｏリング２８９は、環状の空気ギャップ２８８内に設けられている。ハウジング２６４の当接部分と、ガード要素の内壁表面との間の追加的なショック抵抗は、環状のゴム引きされたくさび２８５を含む。
【００９１】
図１８および図１９を参照して、血圧測定装置３４０のためのスリーブ３４４がここで記述される。
【００９２】
スリーブ３４４それ自身は、一体にＲＦ溶接あるいは接合されて内部チャンバーを形成する、ポリアミドまたは他の同様の流体不透過材料からつくられる一対のスリーブ部分３６８、３７２から構成される。スリーブ３４４の内部チャンバーは、スリーブ部３６８上に設けられたやじりのかかりまたはポート３５２に、チューブ３６０によりつながれた空気バルブ３５６の手段により膨張され、該やじりのかかりはスリーブの内部チャンバーと通信する開口を持つ。空気バルブ３５６に隣接して設けられたチェックバルブ３６４は、該バルブが開けられるとき、該スリーブ３４４の内部チャンバーの非圧搾を許す。
【００９３】
該スリーブ３４４は、スリーブの対向する端にあるスリーブ部３６８、３７２の各々の外方に面する面上のフックおよびループファスナー部分（その１つ、３７６のみが示される）を含み、これにより、該スリーブが、図１９に示されるように、患者３７５の肢の周りに巻かれるとき、筒状の形状に形成され、安定に固定されることを許す。各フックおよびループファスナー部分はまた、好ましくは、スリーブ部３６８、３７２にＲＦ溶接される。ここで記述したスリーブ３４４の製造を含む上記した特徴に関連する特別の特徴は、以前にその全体が参照によりここに組み入れられた米国特許第６,０３６,７１８号明細書に記述されている。
【００９４】
適切に取り付けられるとき、スリーブ部分３７２のフェース面は、スリーブ部３６８のフェース側が露出されて、患者に接触する。本実施形態によれば、各フェース面は、これを患者に取り付けるのを助ける異なるカラーをもつ。本実施形態によれば、スリーブ３４４は、スリーブ部３７２のフェース面が黒色のフィニッシュを持ち、露出したスリーブ部３６８のフェース面がより軽い色のフィニッシュを持つ、２色のトーンとされている。
【００９５】
上記したものと類似した、例えば、図９および図１２に示されるソケットまたはポート（図示せず）は、また、スリーブ部３６８内に設けられており、該ソケットは、以前に記述し定義した態様で開放可能にスナップ嵌合されたゲージハウジング３４８を受ける大きさとされている。該ゲージハウジング３４８は、取り付けるとき、その垂直軸の周りに回転させることが可能であり、注意喚起者および／または患者のいずれかに対し、容易な視覚的アクセスを許している。
【００９６】
本実施形態によるゲージハウジング３４８は、以前に図９において示され記述されたものと同一であり、該ハウジングは、ベローズアセンブリー、および、上記した態様で動作して、スリーブ３４４の内部チャンバー内の圧力変化がベローズアセンブリーの移動可能な平面に対して移動を生じさせる原因となるとき、指示要素のダイヤルフェースに対する周縁状の動きを許すような、ギアレスの移動機構を含むものである。ゲージハウジング３４８はまた、好ましくは、以前に記述したショック／衝撃抵抗特徴を含む。
【００９７】
動脈指示マーカー３８０が、スリーブ部３６８のフェース面上のフックおよびループファスナー部分３７６に隣接して設けられている。このマーカー３８０は、スリーブを患者の腕の動脈と一列に並ばせるように設けられ、該マーカーはさらに、スリーブ３４４のそれぞれの水平辺上に設けられた左および右の肢インディケーターを含む。スリーブ３４４が患者３７５の腕上に巻かれるとき、該マーカーは、腕および動脈を、適切にかつ周縁状に、直接動脈を指し示す肢インディケーターと並べるのに用いられる。ゲージハウジング３４８のスリーブ３４４内での回転可能性は、取り付けられたゲージハウジングを持つスリーブが、取り付けられたとき、回転にかかわらず、使用されることを許す。
【００９８】
本発明によれば、指標３８４、３８８のセットは、また、スリーブ部３６８のフェース面上に設けられ、使用されているスリーブのサイズを示す；すなわち、スリーブが、大人の、子供の、または乳幼児のカフであるかを示す。本実施形態では、大人のスリーブが示される。ゲージハウジング３４８は、上記したスリーブの任意のものに対して、その大きさにかかわらず、ここで記述した態様で、解放可能に取り付けることができる。さらに、上記スリーブは、図２０−図２３で記述された電子的モデュールを含む、上記で記述されたゲージハウジングの任意のものを持って使用することができる。
【００９９】
図２９−図３５は、本発明の追加的な好ましい実施形態を示し、そこでは、血圧測定が、ある患者について、異なるマニュアルまたは電子的血圧測定設備または装置の使用を通して相互交換可能に行なわれ、その間、該患者は同じカフ／またはスリーブを連続的に装着していることを可能にするシステム、方法、およびキットが与えられる。患者は、血圧測定が広い範囲の血圧測定設備を使用して行なわれている間、同じカフ／スリーブを着けていることが可能であるので、現在の、カフ／スリーブを患者から頻繁に取り外し、かつその後新しいスリーブ／カフを配置し、ふたたび取り付けるという必要は、有効に省略できる。
【０１００】
最初に図２９を参照して、外表面１０１０を持つカフ１０００が、取り付けられた第１のアダプター１１００を持って示されている。図２９には一部しか示されていないが、カフ１０００は、該カフ１０００が内部チャンバー（たとえば、図１７の参照符号３２８を参照）により定義される点において図９、図１２、図１６、および図１７に示される種々のカフ／スリーブ２２６、３２４と同様、または同じである。カフ１０００の内部チャンバーは、本発明に従って種々の態様で形成することができる。限定されない実施形態において、図１７に示されるように、２つの接続されたスリーブまたはスリーブ部３６８、３７２は、内部チャンバーが２つのスリーブまたはスリーブ部間に形成されるよう互いに接続されることができる。あるいは、カフ１０００は、たとえばスリーブの第１の端を、該スリーブの第２の端に、内部チャンバーが接続された端間に定義されるように接続することにより、単一のスリーブまたはスリーブ部から形成することができる。
【０１０１】
カフ１０００は、その患者のみについて使用されるように（すなわち、使い捨て可能なカフ）、あるいは多数の患者について再使用されるように（すなわち、耐久性のあるカフ）設計されることができる。また、該カフ１０００は、患者の腕または大腿部への取り付けに有用な、乳幼児および大人サイズ、これに限定されるものではないが、を含む、任意の適切な患者サイズに形成することができ、ここで、そのようなサイズは、たとえば、図１８に示されるように、該カフ上の、文字、図形、カラー、文字および／または図形指標により指示されることができ、ここで、このような指標は、参照符号３８４，３８８により例示的に特定される。他の代表的なこのような指標１０５０は、図３３および図３４のカフ１０００の外表面１０１０上に示されるが、他の修正および変形も可能であることは明らかであろう。
【０１０２】
図２９および図３３に示されるように、第１のアダプター１１００は、カフ１０００に接続される。第１のアダプター１１００は、以下により詳細に示されるように、カフ１０００の外表面１０１０と内部チャンバーとの間の直接の流体通信を与えるよう、その中に定義される開口１１１０を、有するメインボディー１１０５を含む。該カフ１０００は、その中に定義された開口１０３０（たとえば、図３３参照）を持つものであり、ここで、該開口は、第１のアダプター１１００を収容する大きさとされ、カフの内部チャンバーに対する直接の流体通信を与える。一般に、第１のアダプター１１００は、実質的に可逆可能に、開口１０３０で、カフ１０００に溶接（たとえば、ＲＦ溶接、超音波溶接）により、ボンディング、またはシーリングにより、接続されている、ただし、このような接続は、本発明の意図された範囲から離れることなく、可逆可能でもあり得る。
【０１０３】
本発明の、好ましい実施形態によれば、第１のアダプター１１００は、実質的にカフ１０００の外表面内に配置されているソケットであることができ、あるいは図２９および図３３に示すように、少なくともその一部がカフの外表面から所定の距離だけ突出する調整具であることができる。
【０１０４】
いずれの場合においても該第１のアダプター１１００のメインボディー１１０５は、任意にカフ１０００の外表面１０１０と接触する周縁状のラジアルシール１１２０を含み、ここで、該ラジアルシールはもし存在すれば、特定の取り付け条件に依存して、第１のアダプター開口の直径よりより大きい、またはより小さい直径を持つものである。また、該第１の開口は、周縁状のリング１１３０およびリッジ１１４０を含むことができる。存在するとき、該リング１１３０およびリッジ１１４０は、一緒に第２のアダプター１２００とインタフェースする第１のアダプター１１００の一部１１５０を形成するものであり、ここで該リングは、図３０Ｃおよび図３２−図３４に最もよく示されるように、メインボディー１１０５から伸び、リッジは該リングから伸びるものである。第１のアダプター１１００のメインボディー１１０５は、第１のアダプター１１００のインタフェース部分１１５０と同じ材料から作ることができ、または代わりに、１つまたはそれ以上の材料から作ることもできる。任意に、第１のアダプター１１００のメインボディー１１０５は、該メインボディーの下に伸びる、第１のアダプター１１０５のカフ１０００の内部チャンバーへの接続を可能とする、あるいは有効とするフランジ（図示せず）を含むことができる。
【０１０５】
第１のアダプター１１００の全体は、単一の材料からつくられていてもよく、あるいは、もし代わりに望まれるなら、１以上の材料から作られていてもよい。限定されない例として、該第１のアダプター１１００の全体は、可撓性のあるプラスチック材料、あるいは比較的により硬いプラスチック材料からなっていてもよく、ここで該特定の材料の選択は、価格、耐久性、および／または市場の要求等の、種々の要因に依存することができる。あるいは、該第１のアダプター１１００は、第１に、可撓性の材料と、第２に、比較的より硬い（すなわち、可撓性の少ない）材料等の、２つまたはそれ以上の異なる材料からつくることもできる。好ましいこのような代替的な実施形態によれば、第１のアダプター１１００のメインボディー１１０５の一部、あるいは現在望まれているような全体（もしあれば、下方に伸びるフランジを含む）は、可撓性のあるプラスチック材料からつくられていてもよく、ここで、第１のアダプター１１００のインタフェース部分１１５０の１つまたはそれ以上の部分は、１つまたはそれ以上の硬い（すなわち、可撓性の少ない）プラスチック材料よりつくられていてもよい。メインボディー１１０５がそれからできていてもよい好ましい可撓性のプラスチック材料は、ペレタン、ポリビニールクロライド、および熱プラスチックラバー等の、熱可塑性ポリウレタンエラストマー材料を含むことができるが、これらに限定されるものではなく、比較的により硬いリング１１３０および／またはリッジ１１４０を、それからつくることのできる好ましい可撓性の少ない材料は、ポリカーボネート材料、アクリル材料、リジットなビニール、およびアクリロ二トリルブタジエンスチレン、または他の選択された可撓性のあるプラスチック材料とのボンディングに互換性のあるリジットな熱プラスチックスを含むことができるが、これらに限定されるものではない。
【０１０６】
該第１のアダプター１１００のためのこの代替的なデザインは、それが、第１のアダプターに双対のフレキシビリティーを与える、すなわち、第１のアダプターのメインボディー１１０５が、第１のアダプターのカフ１０００に対する接続を有効とするよう、可撓性があり、一方、第１のアダプターの他の部分の１つ、またはそれ以上（たとえば、リング１１３０および／またはリッジ１１４０の１つ、またはそれ以上）が、第１のアダプター１１００と、第２のアダプター１２００との間の接続（以下に述べる）を、信頼性良く維持するよう、比較的に、よりリジットである点において、有利である。このように、この代替的な設計は、第１のアダプター１１００をして、その意図された役割−ここで記述された相互交換可能な血圧測定システム、方法、およびキットにおける−を、もし該第１のアダプターが単一の材料のみから形成されたときより増大された信頼性を持って、かつ比較的により長い期間にわたって、実現することを可能とするものである。
【０１０７】
本発明のシステムは、さらに、以下でより詳細に記述される、第１のアダプター１１００に解放可能に接続される、かつ、たとえば図３０Ａおよび図３０Ｂの第１の好ましい実施形態、および図３１Ａおよび図３１Ｂの第２の好ましい実施形態において示されるような種々の設計を持ち得る、第２のアダプター１２００を含む。限定されない実施形態において、第１および第２のアダプター１１００、１２００は、たとえば、互いにスレッドされていることにより、摩擦嵌合されていることにより、かしめを通して、あるいは図３２に示されるようにスナップ嵌合を介して、等により、可逆可能に（たとえば、解放可能に）接続されている。第１のアダプター１１００と第２のアダプター１２００との間のスナップ嵌合接続を可能とする、あるいは有効とするために、かつふたたび図３２に示されるように、第１のアダプターは、その下に、第２のアダプターの第１および第２の接続要素１２１０、１２２０がスナップ嵌合することのできる周縁状リッジ１１４０を、含むことができる。第１および第２のアダプターの設計によって、かつさらにそれらの間のスナップ嵌合接続によって、第２のアダプター１２００は一般に、それが第１のアダプター１１００に接続されている間、少なくとも部分的に、実質的に、または全体的に（すなわち、３６０度）、回転可能である。
【０１０８】
第１のアダプター１１００と第２のアダプター１２００との間の開放可能な接続を達成するための技術は、第１のアダプターの指、または他の突出する部分をその中に嵌合することのできる（すなわち、スナップ嵌合、またはかしめにより）リセスを、第２のアダプターに設けること、あるいは、第２のアダプターに、第１のアダプターを第２のアダプター内に／から保持または開放するために、所定の動作に続いて（たとえば、ボタンの押下により、あるいはトリガーの活性化により）内側に、または外側に伸びるプランジャー様の機構を設けることを含むが、これには、限定されない。
【０１０９】
あるいは、第１のアダプター１１００は、ラジアルシール１１２０の代わりに、エラストマー材のリップを含むよう適合されることができ、その場合、第２のアダプターは、該エラストマー材リップ上に嵌合するフランジのついた部分を含むことができる。この代わりの実施形態はまた、第２のアダプター１２００をして、それが第１のアダプター１１００に接続されている間、少なくとも部分的に、実質的に、または全体的に（すなわち、３６０度）回転可能とすることができ、かつ、スナップ嵌合よりプラスチック変形に対しより抵抗性のあるものとすることができ、またさらに、第１のアダプター１１００と第２のアダプター１２００間の望まれない汚れ、および残がいの形成を、阻止することができる。
【０１１０】
さらに、望ましくない、塵挨、ごみ、残がい等の、異物（まとめてここでは、汚染物という）の集積をさらに低減するために、少なくとも１つのスクリーニング／フィルタリング要素を、空気のパス内の所定位置において、第２のアダプター１２００内で配置することができる。好ましい実施形態によれば、図３１Ｂおよび図３２に示されるように、複数のスクリーニング要素１２８０は、第２のアダプター１２００の第１のチャンバー１２７０Ａおよび第２のチャンバー１２７０Ｂのうちの１つ、あるいは、現在好まれているようにその両方内に、配置されることができる。図３０Ｂに最もよく示されるように、１つまたはそれ以上のスクリーニング要素１２８０は、図３０Ａおよび図３０Ｂに示される第２のアダプター１２００の実施形態の単一のチャンバー１２６０内に含むことができる。各場合において、１つまたはそれ以上のスクリーニング要素１２８０の存在は、有利に、カフ１０００内に存在し得る汚染物が第２のアダプター１２００内のみを通って入る可能性を妨げる、あるいは少なくとも低減するものである。
【０１１１】
該１つまたはそれ以上のスクリーニング要素１２８０は、同じ形状または寸法を持つことができ、あるいは変化された寸法または形状（たとえば、変化された高さおよび／または幅）を持つことができる。しかしながら、図３２に示されるように、各スクリーニング要素１２８０は、一般に、実質的に筒状形状の要素である。これは、スクリーニング要素１２８０が、図３０Ａおよび図３０Ｂに示されるタイプの第２のアダプター１２００内に存在する場合と、あるいは図３１Ａおよび図３１Ｂに描かれたタイプの第２のアダプター内に存在する場合のいずれにおいても、一般的である。１つまたはそれ以上のスクリーニング要素１２８０は、第２のアダプター１２００内のそれらの配置位置に、種々の公知の取り付け技術により、たとえば直接第２のアダプター内にモールドされるか、および／または接着剤の使用を通してモールドされることにより、接続され、あるいは取り付けられることができる。
【０１１２】
第２のアダプター１２８０内に存在するスクリーニング要素の正確な数は、変化し得るものである；しかしながら、第２のアダプターは、容易に空気透過性のままであっても、また、汚染物が信頼性良くその中に集められるものであっても十分である。複数のスクリーニング要素１２８０が、図３１Ａおよび図３１Ｂに示されるタイプの第２のアダプター１２００の第１および第２のチャンバー１２７０Ａ、１２７０Ｂの両方内に位置している実施形態においては、各チャンバーにおける数も、たとえば、スクリーニング要素の寸法および／または形状、チャンバーの寸法等にもとづき、変化させることができる。しかしながら、本発明の好ましい実施形態によれば、同じ数のスクリーニング要素が、第１のチャンバー１２７０Ａおよび第２のチャンバー１２７０Ｂのおのおの内に、配置されている。一般に、各チャンバー１２７０Ａ、１２７０Ｂ内のスクリーニング要素の数は、 ５から１５の範囲にわたることができる。
【０１１３】
合計１０個のスクリーニング要素１２８０が、図３０Ｂに示される一つのチャンバー１２６０内に存在する。しかしながら、図３０Ａおよび図３０Ｂに示されるタイプの第２のアダプター１２００の単一チャンバー１２６０内のスクリーニング要素の全数は、たとえば、スクリーニング要素の寸法、および／または形状、単一チャンバーの寸法等に基づき、１０以上、あるいは以下で、変化することができる。
【０１１４】
該スクリーニング要素１２８０は、汚染物を信頼性良く集める、さらに、そうでなくても、その中に第２のアダプターが組み込まれている血圧測定システムの機能を阻止、あるいは妨害しないよう、空気の第２のアダプター１２００を介しての通過を禁止しない、少なくとも１つの材料からできていてもよい。その目的のために、および限定されない例として、該スクリーニング要素１２８０は、メッシュ材料（例えば、ワイヤースクリーン、布材料、あるいはプラスチック材料）、または薄膜（例えば、シンターされた材料、繊維性の材料、または生地の薄膜）からできていてもよい。該１つ、またはそれ以上のスクリーニング材料１２８０の各々は、同じ、または異なる材料から形成されることができる。
【０１１５】
メッシュであること、または薄膜よりなることから、該１つまたはそれ以上のスクリーニング要素１２８０は、少なくとも部分的に自己清掃型であり、ここで、このようなクリーニングは、第１のアダプター１１００から第２のアダプター１２００への反対方向空気流により起こる。あるいは、該１つまたはそれ以上のスクリーニング要素１２８０の任意のもの、あるいはすべては、周期的に、あるいは定期的に、清掃、あるいは置換されることができ、ここで、スクリーニング要素へのアクセスは、第２のアダプター１２００を、血圧測定装置から非接続とし、離し、あるいはそうでなければ分離し、そののち、第２のアダプターを明けることにより、達成される。
【０１１６】
図３０Ｂ、図３１Ｂ、および図３２は、該１つまたはそれ以上のスクリーニング要素１２８０を、第２のアダプター１２００の一部であるとして描くが、該１つまたはそれ以上のスクリーニング要素１２８０は、該第２のアダプター内に含まれる１つまたはそれ以上のスクリーニング要素の代わりに、またはこれに加えて、該血圧測定システム内の他の位置に（例えば、第１のアダプター１１００内に、あるいはその一部として）配置されることも可能である。さらに、第２のアダプター１２００内の、該１つまたはそれ以上のスクリーニング要素１２８０の特定の配置は、もし望まれれば、過度の実験なしに描かれた配置から変更されることもできる。
【０１１７】
図３０Ａ、図３１Ａ、図３２、および図３３に示されるように、かつ、本発明の任意の実施形態に従って、カバー要素またはメンバー１３００は、第２のアダプター１２００のメインボディー１２０５の上面開口に開放可能に接続されることができる。このような接続は、限定されない例として、カバー要素１３００の第１および第２の接続要素１３１０、１３２０を、第２のアダプターの周縁状に突出するリッジ１２３０の下でスナップ嵌合させることによりなされることができる（図３２参照）。もし存在すれば、カバー要素１３００は一般に、審美眼的な目的のためにのみ役立つものであり、その目的のために、文字および／または図形の指標を、たとえば、該システムに関連して利用される装置の製造に関係する指標を、載せている。
【０１１８】
今、図３０Ａおよび図３０Ｂを参照して、本発明の第２のアダプター１２００の好ましい実施形態が詳細に説明される。図３０Ａおよび図３０Ｂの第２のアダプター１２００の好ましい実施形態は、メインボディー１２０５ばかりでなく、該メインボディーから突出する単一のやじりのかかり１２４０を含む。図３０Ｂに示されるように、第２のアダプター１２００のメインボディー１２０５の内部内に定義された単一チャンバー１２６０は、やじりのかかり１２４０の内部と直接、流体通信する、それゆえ、および一度、第１のアダプター１１００が、図３０Cに示されるように、第２のアダプター１２００に接続されると、該単一チャンバー１２６０は、第１のアダプターの開口１１１０と直接流体通信する。そして、該第１のアダプター１１００のメインボディー１１０５内に定義された開口１１００は、カフ１０００の内部チャンバーと直接通信するので、該第２のアダプター１２００はカフの内部チャンバーと通信する。以下により詳細に記述されるように、ホースあるいはチューブの部分は、カフ１０００の内部と多くの異なる血圧測定装置との間の流体通信を交換可能に与えるよう、やじりのかかり１２４０に接続されることができる。
【０１１９】
第２のアダプター１２００のもう１つの好ましい実施形態は図３１Ａおよび図３１Ｂに示される。図３１Ａおよび図３１Ｂの第２のアダプター１２００の大きさ、構造、および要素は、一般に、図３０Ａおよび図３０Ｂに描かれた第２のアダプターのそれらと同じである。２つのやじりのかかり１２５０Ａおよび１２５０Ｂは、図３０Ａおよび図３０Ｂの第２のアダプターの単一のやじりのかかりの設計と異なり、図３１Ａおよび図３１Ｂで描かれた第２のアダプターのメインボディー１２０５から突出する。やじりのかかり１２５０Ａ、１２５０Ｂは、第２のアダプター１２００のメインボディー１２０５の一方の側から伸びており、かつこの実施形態によれば同一である。該やじりのかかり１２５０Ａ、１２５０Ｂは、以下に記述されるように、ホースが取り付けられることを可能とするよう互いに離れて配置されている。また、図３０Ａおよび図３０Ｂの第２のアダプター１２００は、そのやじりのかかり１２４０と直接接触する単一チャンバー１２６０を含むが、図３１Ａおよび図３１Ｂの第２のアダプターは、第１のチャンバー１２７０Ａ、第２のチャンバー１２７０Ｂ、およびそれらの間に定義された分割ゾーン１２７０Ｃを含む。第１および第２のチャンバー１２７０Ａおよび１２７０Ｂの両方は、一度、第１のアダプターが図３１Ａおよび図３１Ｂの第２のアダプター１２０に接続されると、第１のアダプター１１００の開口１１１０と通信するが、しかしながら、該第１のチャンバー１２７０Ａは、第２のやじりのかかり１２５０Ｂとではなく、第１のやじりのかかり１２５０Ａと直接流体通信をし、かつ第２のチャンバー１２７０Ｂは、第１のやじりのかかり１２５０Ａとではなく、第２のやじりのかかり１２５０Ｂと直接流体通信をする。
【０１２０】
第２のアダプター１２００の図３１Ａおよび図３１Ｂの実施形態によれば、かつ一度、第１のアダプター１１００が第２のアダプターに接続されれば、第１および第２のチャンバー１２７０Ａおよび１２７０Ｂは、第１のアダプターの開口１１１０と直接流体通信する。かつ、第１のアダプター１１００のメインボディー１１０５内で定義された開口１１００は、カフ１０００の内部チャンバーと直接通信しているので、該第２のアダプター１２００は、カフの内部チャンバーと通信する。雌端を持つ多くのホースまたはチューブが、また、図３１Ａおよび図３１Ｂの第２のアダプター１２００のやじりのかかり１２５０Ａ、１２５０Ｂに、以下でより詳細に記述されるように、取り付けられ、あるいは接続されることができ、カフ１０００と血圧測定装置との間の流体通信を与える。
【０１２１】
第２のアダプター１２００の図３０Ａおよび図３０Ｂの実施形態は、１つのやじりのかかり１２４０の代わりに１つのリセスを含むよう適合されることができ、第２のアダプターの図３１Ａおよび図３１Ｂの実施形態は、２つのやじりのかかり１２４０Ａ，１２４０Ｂの代わりに２つのリセスを含むよう、あるいは、該やじりのかかりのうちの１つを、１つのリセスで置き換えるよう適合されることができ、ここで、リセスの存在は、雄端を持つ多くのホースまたはチューブの取り付け、あるいは接続を可能とするであろう。
【０１２２】
図３３−図３５に示されるように、第２のアダプター１２００の存在は、カフ（第１のアダプターを介して）と、複数の血圧測定装置の任意のものとの、相互交換可能な個々の接続を、可能とする。このような接続は、一般に、少なくとも１つのホースの一端を、図３０Ａおよび図３０Ｂの第２のアダプターの突出するやじりのかかり１２４０に、あるいは、図３１Ａおよび図３１Ｂの第２のアダプターの突出するやじりのかかり１２５０Ａ、１２５０Ｂに、取り付けることにより、完了されるであろう。換言すれば、もし、図３３に示されるように、取り付けられるべきホース１４００が２つのルーメン１４１０Ａ、１４１０Ｂの形状により定義されれば、そのときは、図３１Ａおよび図３１Ｂに示されるタイプの２つのやじりのかかりを持つ第２のアダプター１２００が、利用される。もし、代わりに、ホース１４００が、図３４に示されるように、単一ルーメン１４１０の形状を持てば、そのときは、図３０Ａおよび図３０Ｂに示されるタイプの１つのやじりのかかり１２４０を持つ第２のアダプター１２００が、利用されるであろう。
【０１２３】
本発明は、それが、単一ルーメン１４１０と、多数ルーメン（たとえば、双対ルーメン１４１０Ａ、１４１０Ｂ）ホース取付体１４００の間の切り替えを、カフ１０００の除去を必要とすることなく、かつ、最小の加えられた努力でもって可能とする点において、高度に有利である。例えば、図３０Ａ、図３０Ｂに示されるような１つのやじりのかかり１２４０を持つ第２のアダプター１２００は、もし、患者の血圧が、ただ１つのルーメン１４１０を持つホース１４００を介してのカフ１０００との通信を必要とする血圧測定装置により測定されるべきであれば、第１のアダプター１１００に接続されるであろう。もし、より早くに、あるいはそれ以降、患者の血圧が、２つのルーメン１４１０Ａ、１４１０Ｂを持つホース１４００を介してのカフ１０００との通信を必要とする血圧測定装置により測定されなければならないのであれば、そのときは、図３１Ａ、図３１Ｂに示されるような、２つのやじりのかかり１２５０Ａ、１２５０Ｂを持つ第２のアダプター１２００が、第１のアダプター１１００に接続されるであろう。それゆえ、本発明によれば、血圧測定が、異なる数のルーメンを有する異なるホース取付体を介してのカフとの通信を必要とする異なる設備／デバイスの使用を通してなされることを可能とするために、全体のカフ１０００の置き換えを要求するよりむしろ、すべて必要なことは、多くとも、取り付けられたホース１４００、および／または第２のアダプター１２００を、置き換えることである。
【０１２４】
上記の相互交換特徴は、同じ患者が、彼、または彼女の血圧を、いくつかの異なる血圧測定設備または装置で測定されることを必要とするのは稀なことではないので、大いに有益であり、ここで、それらの装置の少なくともいくつかは、それに接続されるべき異なる数のルーメンを持つホース取付体を、必要とする。同様に、この相互交換可能性は、また、その一人一人が、他の人と異なるサイズ、および／またはタイプのカフを着けている多数の患者が、血圧測定が、１つ、またはより多くの血圧測定装置によりなされることを求めている状況に、適用可能である。これらの目的のために、例示的な図３５は、３つの好ましい、除去可能な単一ルーメンホース取付体１５１０、１５２０、１５３０、および、３つのこの好ましい、除去可能な双対ルーメンホース取付体１６１０、１６２０、１６３０、ここで、６つのホース取付体のおのおのは、個々に、１つ、またはそれ以上の異なる電子的な血圧測定装置（図示せず）に開放可能に接続されることができる、を図示している。一般に、かつ、図３５に示されるように、ホース取付体１５１０−１５３０、１６１０−１６３０のおのおのは、コネクタの使用を通して、電子的な血圧測定装置に接続されており、ここで、コネクタの特別な選択は、血圧測定装置のタイプ、および／または、製造業者に依存している。単一ルーメンのホース取付体１５１０−１５３０について、好ましいコネクターは、ねじ／ルアータイプコネクター１７１０、ロッキングタイプコネクター１７２０、銃剣タイプコネクター１７３０、および、やじりのかかりタイプコネクター（図示せず）を含むが、これらに限定されない。双対ルーメンのホース取付体１６１０−１６３０について、好ましいコネクターは、ねじ／ルアータイプコネクター１８１０、ルアーロックタイプコネクター１８２０、ロッキングタイプコネクター１８３０、および、やじりのかかりタイプコネクター（図示せず）を含むが、これらに限定されない。
【０１２５】
限定されない例により、図３５に示される単一ルーメンホース取付体１５１０は、図３０Ａおよび図３０Ｂに示される第２のアダプター１２００のやじりのかかり１２４０に、その第１の端１９００において接続されることができ、かつ、該ホース取付体１５１０の第２の端１９１０を、ウェルチアリンスポット生命兆候装置、または、ウェルチアリンＶＳＭシリーズ装置、またはウェルチアリンアトラスモニター、そのおのおのは、米国、ニューヨーク州、スカニーアテレスフォールズのウェルチアリン社より入手できる、等の、血圧測定装置に、個々に接続するよう、ネジタイプのコネクター１７１０により嵌合されることができる。また、限定されない例により、図３５に示される単一ルーメンホース取付体１５２０は、図３０Ａおよび図３０Ｂに示される第２のアダプター１２００のやじりのかかり１２４０に、その第１の端１９２０において接続されることができ、かつ、該ホース取付体１５２０の第２の端１９３０を、米国、オレゴン州、ベアバートン、のウェルチアリンプロトコル社により商業的に製造されるプロパック生命兆候モニターのような血圧測定装置に、個々に接続するよう、ロッキングタイプコネクター１６２０により嵌合されることができる。さらに、また限定されない例により、図３５に示された単一ルーメンホース取付体１５３０は、図３０Ａおよび図３０Ｂに示される第２のアダプター１２００のやじりのかかり１２４０に、その第１の端１９４０において接続されることができ、かつ、該ホース取付体１５３０の第２の端１９５０を、米国、カリフォルニア州、パロアルトのアジレントテクノロジーズ社から、米国、ワシントン州、レドモンドのスペースラボにより、米国、ニュージャージー州、モンテヴァレのデータスコープ社により、ドイツ、ミュンヘンのジーメンズＡＧにより、および、米国、ウィスコンシン州、ワウケシャーのクリティケアシステムズ社、により商業的に入手可能な血圧測定装置に、個々に接続するよう、銃剣タイプのコネクター１７３０により嵌合されることができる。またさらなる限定されない例により、図３５に示される双対ホース取付体１６１０は、その第１の端２０００で、図３１Ａおよび図３１Ｂに示される第２のアダプター１２０００のやじりのかかり１２５０Ａ、１２５０Ｂに接続されることができ、かつ、該ホース取付体１６１０の第２の端２０１０を、米国、ニューヨーク州、スカニーアテレスフォールズのウェルチアリン社から商業的に入手可能なウェルチアリンスポットウルトラ生命兆候装置、または、米国、ケンタッキー州、ルイスヴィルのＤＲＥメディカル社から入手可能なクリティコンダイナマップモニター、等の血圧測定装置に、個々に接続するよう、ネジタイプのコネクター１８１０により嵌合されることができる。またまたさらなる例により、図３５に示される双対ルーメンホース取付体１６２０は、その第１の端２０２０で、図３１Ａおよび図３１Ｂに示される第２のアダプター１２０００のやじりのかかり１２５０Ａ、１２５０Ｂに接続されることができ、かつ、該ホース取付体１６２０の第２の端２０３０を、米国、ニュージャージー州、モンテヴァレのデータスコープ社により、および米国、テキサス州、サンアントニオの、コリンメディカルインストルメント社から商業的に入手可能な血圧測定装置に、個々に接続するよう、ルアーロックタイプのコネクター１８２０により嵌合されることができる。またまたまたさらなる限定されない例により、図３５に示される双対ルーメンホース取付体１６３０は、その第１の端２０４０で、図３１Ａおよび図３１Ｂに示される第２のアダプターのやじりのかかり１２５０Ａ、１２５０Ｂに接続されることができ、かつ、該ホース取付体１６３０の第２の端２０５０を、米国、ウィスコンシン州、ワウケシャーのＧＥヘルスケアー社から商業的に入手可能なＧＥマーケットモニター等の血圧測定装置に、個々に、接続するよう、ロッキングタイプのコネクター１８３０により嵌合せられることができる。
【０１２６】
図３５は、さらに、おのおの、１つ、またはそれ以上のマニュアル血圧測定装置に、個々に、開放可能に接続される３つの追加的な双対ルーメンホース取付体１６４０、１６５０、１６６０を示す。例えば、ホース取付体１６４０は、第１の端２０６０、および対向する第２の端２０６５によって定義され、前者は、第１、および第２のルーメン１４１０Ａ、および１４１０Ｂを含む。ホース取付体１６４０の第１の端２０６０は、図３１Ａおよび図３１Ｂに示される第２のアダプター１２００に接続されている。第１のルーメン１５１０Ａの第２の端２０６０は、手で把持される空気バルブ２１００に接続されるよう適合されており、一方、第２のルーメン１４１０Ｂの第２の端は、例えば、ルアーロック接続を介して、ゲージ（たとえば、ハンドゲージ）に接続されるよう適合されている。限定されない例として、ホース取付体１６４０は、米国、ニューヨーク州、スカニーアテレスフォールズのウェルチアリン社から商業的に入手可能な、旧来のポケット、ＳＲＣポケット、および、壁モデルマニュアル血圧測定装置に、個々に接続されることができる。ホース取付体１６５０は、該ホース取付体１６５０の第１のルーメン１４１０Ａの第２の端２０７０が、ホース取付体１６４０の第１のルーメン１４１０Ａの第２の端２０６５より大きいバルブ２１１０に接続されるよう設計されている点を除いて、ホース取付体１６４０と同一である。ホース取付体１６５０は、少なくともホース取付体１６４０と同じマニュアル血圧測定装置に、個々に接続されることができる。ホース取付体１６６０は、また、第１の端２０８０、および第２の端２０８５を持ち、かつ、第１、および第２のルーメン１４１０Ａ，１４１０Ｂを、持つ。ホース取付体１６６０の第１の端２０８０は、図３１Ａおよび図３１Ｂに示される第２のアダプター１２００に接続されている。第１のルーメン１４１０Ａの第２の端２０８５は、使い捨て可能なハンド空気バルブ２１２０に接続されるよう適合されており、一方、第２のルーメン１４１０Ｂの第２の端は、スクリューコネクター１８５０を介して、ゲージ（たとえば、ハンドゲージ）に、接続されるよう適合されている。限定されない例により、ホース取付体１６３０は、米国、ニューヨーク州、スカニーアテレスフォールズのウェルチアリン社から商業的に入手可能な、種々の使い捨て可能な膨張システムに、個々に接続されることができる。
【０１２７】
図３５はさらに、３つの追加的な単一ルーメンシステムの実施形態２２００、２３００、２４００を示し、これらにおいては、ホース部分２２１０、２３１０、２４１０は、開放可能に、または非開放可能に、アダプター２４００に取り付けられ、該アダプターは、図３４に示されるように、第１のアダプター１１００に開放可能に接続可能である。該システム２２００、２３００、２４００のおのおのは、その設計および機能において類似しており、米国特許第６,７９６,１８６号、第６,７４６,４０６号、第６,６１５,６６６号、第６,５７８,４２８号、第６,４８１,２９１号、第６,４２２,０８６号明細書においてより詳細に記されており、そのおのおのは、その全体が参照によりここに組み入れられる。
【０１２８】
該システム２２００の使用の間に、ホース部２２１０の第２の端２２２０は、小さいサイズのマニュアル動作可能な空気バルブ２５００に接続されている。該システム２２００は、限定されない例により、米国、ニューヨーク州、スカニーアテレスのウェルチアリン社により商業的に利用可能な血圧測定装置のＤＳ４４シリーズと関連して利用されることができる。該システム２３００の使用の間に、ホース部２３１０の第２の端２３２０は、大きいサイズのバルブ２５１０に接続される。該システム２３００は、限定されない例として、米国、ニューヨーク州、スカニーアテレスの、ウェルチアリン社により商業的に利用可能な、ＤＳ４５、およびＳＲＣ集積シリーズの血圧測定装置と関連して利用されることができる。該システム２４００の使用の間に、ホース部２４１０の第２の端２４２０は、使い捨て可能なバルブ２５２０に接続される。システム２３００のように、該システム２４００は、また、限定されない例として、米国、ニューヨーク州、スカニーアテレスのウェルチアリン社により商業的に利用可能な、ＤＳ４５、およびＳＲＣ集積シリーズの血圧測定装置と関連して利用されることができる。
【０１２９】
もう一度、図２９を参照して、本発明の相互交換可能性は、３つのシステム２６００、２７００、２８００の描写によりハイライトされ、そのおのおのは、カフの内部チャンバーと直接の流体通信状態に置かれるべき第１のアダプター１１００に相互交換可能に接続されることができる。第１のシステム２６００は、上記で記述された、かつ、参照番号２２００、２３００、２４００を持って図３５において描かれたタイプのものであり、そのそれぞれは、米国、ニューヨーク州、スカニーアテレスの、ウェルチアリンイコーポレーティッドにより商業的に利用可能なＤＳ４５、およびＳＲＣ集積シリーズの血圧測定装置等の血圧測定装置と関連して利用されることができる。第２のシステム２７００は、図３０Ａ、および図３０Ｂに描かれたタイプの第２のアダプター１２００を含み、ここで、単一ルーメン１４１０を持つホース取付体１４００の第１の端は、第２のアダプターに接続されており、かつ、ネジタイプのコネクター１７１０は、該システム２７００が、システム２６００と異なる血圧測定装置、たとえば、ウェルチアリンスポット生命兆候装置、または、ウェルチアリンＶＳＭシリーズ装置、または、ウェルチアリンアトラスモニター、そのおのおのは、米国、ニューヨーク州、スカニーアテレスフォールズのウェルチアリン社から商業的に入手することができる、に個々に接続されることを可能とするよう、ホース取付体の第２の端に接続されている。第３のシステム２８００は、図３１Ａおよび図３１Ｂに描かれたタイプの第２のアダプター１２００を含み、ここで、双対ルーメン１４１０Ａ、１４１０Ｂを持つホース取付体１４００の第１の端は、第２のアダプターに接続されており、かつ、ネジタイプのコネクター１８１０は、該システム２８００が、システム２６００、２７００と異なる血圧測定装置、たとえば、ウェルチアリンスポット生命兆候装置、または、ウェルチアリンＶＳＭシリーズ装置、または、ウェルチアリンアトラスモニター、そのおのおのは、米国、ニューヨーク州、スカニーアテレスフォールズのウェルチアリン社から商業的に入手することができる、に個々に接続されることを可能とするよう、ホース取付体の第２の端に接続されている。
【０１３０】
このように、本発明により定義されたシステムは、それが、同じ膨張可能カフ１００を、血圧測定が、装置間の差異（たとえば、マニュアル対電子的、単一ルーメンホース取付体−対−双対ルーメンホース取付体、ネジコネクタ−対−ルアーコネクター−対−ロッキングコネクター−対−やじりのかかりコネクター−対−銃剣コネクター等）にかかわらず、１つ、またはそれ以上の製造業者からの異なる血圧測定装置によりなされることができる間、患者に接続されているままであることを可能とする点において、高度に多用途であり、効率的である。
【０１３１】
本発明は、現在のところの好ましい実施形態について記述されたが、このような詳細は、それらが以下の請求項で含まれて限りにおいて、発明の範囲を限定するものと解釈されてはならない、−すなわち、本発明の以上の記述は、単に説明的なものであり、変形、および修整が、以下の請求項で打ち立てられた発明の範囲または精神から離れることなく、有効に行なわれ得ることが理解されるであろう。さらに、ここで言及されたどのような書類も、その全体が参照により組み入れられているものであり、それは、ここで述べられた書類内で参照された他の任意の書類と同様である。
【図面の簡単な説明】
【０１３２】
【図１】図１は、本発明による圧力測定装置の、断面で示される側面立面図である。
【図２】図２は、該装置に関連して、回転可能なダイヤルフェースを取り付けるための代わりの手段を描く、図１の圧力測定装置の拡大断面図である。
【図３】図３は、第２の好ましい実施形態による、ハウジングを有する圧力測定装置の、部分的に断面で示される側面立面図である。
【図４】図４は、第３の好ましい実施形態による、ハウジングを有する圧力測定装置の、部分的に断面で示される側面立面図である。
【図５】図５は、膨張可能な血圧スリーブを持って使用される、第４の好ましい実施形態に従ってつくられた圧力測定装置の部分断面図である。
【図６】図６は、本発明の第５の好ましい実施形態に従ってつくられた圧力測定装置の、部分断面の側面立面図である。
【図７】図７は、図６の圧力測定装置の分解図である。
【図８】図８は、図６および図７の圧力測定装置のハウジングの部分展開図である。
【図９】図９は、本発明の第６の実施形態に従って作られたゲージハウジングの、断面の側面立面図である。
【図９Ａ】図９Ａは、図９のゲージハウジングへの周辺バンパーの取付けを示す拡大図である。
【図１０】図１０は、図９のゲージハウジングの上面斜視図である。
【図１１】図１１は、本発明の第７の実施形態に従って作られたゲージハウジングの側面斜視図である。
【図１２】図１２は、図１１のゲージハウジングの側面立面図である。
【図１２Ａ】図１２Ａおよび１２Ｂは、図１２のゲージハウジングに取り付けられた保護周辺バンパーの拡大部分断面図である。
【図１２Ｂ】図１２Ａおよび１２Ｂは、図１２のゲージハウジングに取り付けられた保護周辺バンパーの拡大部分断面図である。
【図１３】図１３は、図１２のゲージハウジングの上面斜視図である。
【図１４】図１４は、本発明のもう１つの実施形態に従ってつくられた、衝撃抵抗特性を持つ図１２のゲージハウジングの底面斜視図である。
【図１５】図１５は、従来の血圧測定装置の部分展開図である。
【図１６】図１６は、膨張可能な血圧スリーブに直接取り付けられる形状とされた、従来のゲージハウジングの、部分断面の側面立面図である。
【図１７】図１７は、膨張可能な血圧スリーブに直接取り付けられる形状とされた、従来のゲージハウジングの、部分断面の側面立面図である。
【図１８】図１８は、本発明の好ましい実施形態による血圧測定装置の上面図である。
【図１９】図１９は、患者に使用される、図１８の装置の膨張可能なスリーブの斜視図である。
【図２０】図２０は、本発明のもう１つの好ましい実施形態に従った血圧測定装置の、組み立てられた上面斜視図である。
【図２１】図２１は、電子ゲージモジュールがスリーブから外された、図２０に描かれた血圧測定装置の上面斜視図である。
【図２２】図２２は、図２０および図２１の血圧測定装置の電子ゲージモジュールにおいて使用される容量トランスデューサーの機能ブロック図である。
【図２３】図２３は、図２０ないし図２２の電子ゲージモジュールにおいて使用されることのできる、使用される容量センサーアセンブリーの断面図である。
【図２４】図２４は、図２０ないし図２３の電子ゲージモジュールにおいて使用される、好ましい発振回路である。
【図２５】図２５は、本発明による、もう１つの電子ゲージハウジングの内部を図示する断面図である。
【図２６】図２６は、図２０ないし図２５の電子ゲージモジュールにおいて使用される他の形状の機能ブロック図である。
【図２７】図２７は、本発明による、もう１つの電子ゲージモデュールの、それぞれ、底面、および上面斜視図である。
【図２８】図２８は、本発明による、もう１つの電子ゲージモデュールの、それぞれ、底面、および上面斜視図である。
【図２９】図２９は、本発明の好ましい実施形態に従った、取り付けられた第１のアダプターを持つカフの上面図である。
【図３０Ａ】図３０Ａは、本発明による第２のアダプターの、第１の好ましい実施形態の斜視図、および底面図である。
【図３０Ｂ】図３０Ｂは、本発明による第２のアダプターの、第１の好ましい実施形態の斜視図、および底面図である。
【図３０Ｃ】図３０Ｃは、図３０Ａおよび図３０Ｂの第２のアダプターに開放可能に接続された第１のアダプターの、破断側面図である。
【図３１Ａ】図３１Ａおよび図３１Ｂは、本発明による第２のアダプターの第２の好ましい実施形態の斜視図、および底面図である。
【図３１Ｂ】図３１Ａおよび図３１Ｂは、本発明による第２のアダプターの第２の好ましい実施形態の斜視図、および底面図である。
【図３２】図３２は、図３１Ａおよび図３１Ｂの第２のアダプターに開放可能に接続された第１のアダプターの、破断側面図である。
【図３３】図３３は、本発明の好ましい実施形態による血圧測定システムの構成要素の分解図である。
【図３４】図３４は、本発明の代替的な好ましい実施形態による血圧測定システムの構成要素の分解図である。
【図３５】図３５は、本発明による、取り付けられたホースの種々の好ましい形状の上面図である。
【符号の説明】
【０１３３】
図１−図３５の部品リスト
１０        血圧測定デバイス、または装置
１２        ゲージハウジング
１２Ｂ      ゲージハウジング
１４        内部キャビティ
１６        周縁内部壁
１８        開口上端
１９        反り返った部分
２０        底端
２０Ｂ      底端
２１        外側端（支持プレート）
２２        バブル、または観察窓
２４        下方伸張部
２６        底開口
２８Ａ      水平支持プレート
３０        上フェース面
３２        底フェース面
３４        中央スルー開口
３６        スリーブ
３６Ａ      スリーブ
３６Ｂ      スリーブ
４０        移動機構
４２        ダイヤフラムサブアセンブリー
４４        ダイヤフラム
４４Ｂ      ダイヤフラム
４５        周縁状水平出っ張り
４６        Ｏリング
４６Ｂ      Ｏリング
４７        外側端
４７Ｂ      外側端
４８        パン
４９        波状表面
４９Ｂ      波状表面
５０        キャビティ
５１        キャビティ
５２        コンタクト面
５３        下方端
５４        軸方向に変位可能なシャフト要素
５５        底端
５６        チューブ状要素
５７        上端
５８        上面キャップ部
５９        エンドリボンスプリング
６１        エンドリボンスプリング
６２        指標要素
６３        ダイヤルフェース
６３Ａ      ダイヤルフェース
６５        Ｏリング
６６        スレッド
６７        スロット
６８        バイアスばね
６８Ｂ      バイアスばね
６９        リセス
７０        リボンばね要素
７２        一端
７３        スレッド
７５        スレッド
８０        ショルダー
８２        ドッキングハブ
１１４      周縁状溝
１１８      Ｏリング
１４０      ゲージまたは装置ハウジング
１４２      カフ
１４４      スリーブ部
１４６      スリーブ部
１４８      内部体積
１５２      上方ハウジング部
１５４      下方ハウジング部
１５６      中間部
１５８      内部キャビティー
１６２      スロット
１６５      支持プレート
１６７      ダイヤルフェース
１７０      アーム
１７１      移動機構
１７４      伸張取付部
１７６      ポート
１７８      ホース
１８０      雌コネクター
１８４      ポート
１９０      ソケット
１９６      ボール形状係合端
１９８      方向
２００      開口
２０２      周辺バンパー
２０６      リッジ
２１０      ゲージハウジング
２１２      上方ハウジング部
２１４      移動機構
２１８      狭くされた下方ハウジング部
２２２      ソケット
２２４      エンド開口
２２６      血圧測定スリーブまたはカフ
２２８      ソケット開口
２３２      ゴム引きされた周辺ガードおよびバンパー要素
２３４      ステップ部
２３６      ギャップ
２４０      リボンばね
２４２      軸方向に変位可能なシャフト要素
２４６      収容されたダイヤフラム
２４８      指標要素
２５０      周縁チャネル
２６０      ゲージハウジング
２６４      上方ハウジング部
２６８      狭くされた下方ハウジング部
２７０      係合端
２７１      端開口
２７２      円形フェース溝
２７４      移動機構
２７６      底面
２８０      ゴム引きされた要素
２８４      半径方向進展部
２８５      ゴム引きされたシム
２９０      軸方向進展部
２９２      移動機構
２９４      ゲージハウジング
２９６      ゲージハウジング
２９７      スレッドされた端
２９８      入力ポート
２９９      底開口
３００      ポート
３０２      キャップ
３０４      開口
３０５      チューブ状要素
３０６      ゲージハウジング
３０７      空気バルブ
３０８      開口
３０９      出力端
３１０      入力ポート
３２０      ソケット
３２４      スリーブ
３２８      内部
３４０      血圧測定装置
３４４      ゲージハウジング
３５２      やじりのかかり、またはポート
３５６      空気バルブ
３６０      チューブ
３６４      チェックバルブ
３６８      スリーブ部
３７２      スリーブ部
３７５      患者
３７６      フックおよびループファスナー部分
３８０      動脈指示マーカー
３８４      指標
３８８      指標
４００      血圧測定アセンブリー
４０４      スリーブ
４０８      ポート
４１２      開口
４１６      部スリーブ
４２０      ゲージハウジング
４２４      近傍端
４３２      電子移動機構
４３８      ホース
４４２      カップリング
４４５      フック、およびループファスナー
４４６      ブリードバルブ
４５０      容量トランスデューサー
４５４      容量圧力センサトランスデューサー
４５８      発振回路
４６２      測定および処理回路
４６６      カウンター回路
４７７      データプロセッサー
４７４      参照発振器
４７５      入出力デバイス
４７６      作動ボタン
４７８      ディスプレイ
４８０      金属導体層
４８４      回路基板
４８８      地導体層
４９２      サイド
４９６      金属リング
５００      ピン
５０４      リング導体
５０８      支持プレート
５１２      金属ダイヤフラム
５１６      Ｏリング
５２０      スナップオンキャップ
５２２      ポート
５２４      多数スナップ
５３０      インバーターゲート
５３４      インバーターゲート
５３８      抵抗
５４０      容量トランスデューサー
５４２      キャパシタ
５４４      キャパシタ
５４８      低域フィルタ
５５２      インバーターゲート
５５６      抵抗
５６０      電子ゲージモデュール
５６４      ハウジングボディー
５６６      上方または主要ハウジング部
５６８      近傍係合端
５７２      開口端
５７６      周縁バンパー
５８２      容量変換センサアセンブリー
５８４      ＬＣＤ
５８６      回路基板
５８８      観察窓
５９４      プロセッサー
５９８      ボタン
６００      バッテリ
６４０      電子ゲージハウジングまたはモデュール
６４４      ハウジングボディー
６４８      圧力感受性スイッチ
６５６      センサー
６６０      ポート
６６６      プロセッサー
６７０      ディスプレイ
６７４      無線リンク
１０００    カフ
１０１０    外表面
１０３０    開口
１０５０    指標
１１００    第1のアダプター
１１５０    メインボディー
１１１０    開口
１１２０    リング
１１３０    リング
１１４０    リッジ
１１５０    インタフェース部
１２００    第２の（付加的な）アダプター
１２０５    メインボディー
１２１０    第１の接続メンバー
１２２０    第２の接続メンバー
１２３０    リッジ
１２４０    やじりのかかり
１２５０Ａ  やじりのかかり
１２５０Ｂ  やじりのかかり
１２６０    単一チャンバー
１２７０Ａ  第１のチャンバー
１２７０Ｂ  第２のチャンバー
１２７０Ｃ  チャネル
１２８０    スクリーニング要素
１３００    変換要素
１３１０    第１の接続要素
１３２０    第２の接続要素
１４００    ホース／ホース取付体
１４１０    単一ルーメン
１４１０Ａ  第１ルーメン
１４２０Ｂ  第２ルーメン
１５１０    単一ルーメンホース取付体
１５２０    単一ルーメンホース取付体
１５３０    単一ルーメンホース取付体
１６１０    双対ルーメンホース取付体
１６２０    双対ルーメンホース取付体
１６３０    双対ルーメンホース取付体
１６４０    双対ルーメンホース取付体
１６５０    双対ルーメンホース取付体
１６６０    双対ルーメンホース取付体
１７１０    ネジタイプコネクター
１７２０    ロッキングタイプコネクター
１７３０    銃剣タイプコネクター
１８１０    ネジタイプコネクター
１８２０    ルアーロックタイプコネクター
１８３０    ロッキングタイプコネクター
１９００    ホース取付体の第１の端
１９１０    ホース取付体の第２の端
１９２０    ホース取付体の第１の端
１９３０    ホース取付体の第２の端
１９４０    ホース取付体の第１の端
１９５０    ホース取付体の第２の端
２０００    ホース取付体の第１の端
２０１０    ホース取付体の第２の端
２０２０    ホース取付体の第１の端
２０３０    ホース取付体の第２の端
２０４０    ホース取付体の第１の端
２０５０    ホース取付体の第２の端
２０６０    ホース取付体の第１の端
２０６５    ホース取付体の第２の端
２０７０    ホース取付体の第１の端
２０７５    ホース取付体の第２の端
２０８０    ホース取付体の第１の端
２０８５    ホース取付体の第２の端
２１００    バルブ
２１１０    バルブ
２１２０    バルブ
２２００    第１の取り付けられたアダプター、およびホースシステム
２２１０    ホース部
２２２０    第２の端
２３００    第２の取り付けられたアダプター、およびホースシステム
２３１０    ホース部
２３２０    第２の端
２４００    第３の取り付けられたアダプター、およびホースシステム
２４１０    ホース部
２４２０    第２の端
２５００    バルブ
２５１０    バルブ
２５２０    バルブ
２６００    第１の好ましいシステム
２７００    第２の好ましいシステム
２８００    第３の好ましいシステム
【図１】
2009508577.tif 000003
【図２】
2009508577.tif 000004
【図３】
2009508577.tif 000005
【図４】
2009508577.tif 000006
【図５】
2009508577.tif 000007
【図６】
2009508577.tif 000008
【図７】
2009508577.tif 000009
【図８】
2009508577.tif 000010
【図９】
2009508577.tif 000011
【図９Ａ】
2009508577.tif 000012
【図１０】
2009508577.tif 000013
【図１１】
2009508577.tif 000014
【図１２】
2009508577.tif 000015
【図１２Ａ】
2009508577.tif 000016
【図１２Ｂ】
2009508577.tif 000017
【図１３】
2009508577.tif 000018
【図１４】
2009508577.tif 000019
【図１５】
2009508577.tif 000020
【図１６】
2009508577.tif 000021
【図１７】
2009508577.tif 000022
【図１８】
2009508577.tif 000023
【図１９】
2009508577.tif 000024
【図２０】
2009508577.tif 000025
【図２１】
2009508577.tif 000026
【図２２】
2009508577.tif 000027
【図２３】
2009508577.tif 000028
【図２４】
2009508577.tif 000029
【図２５】
2009508577.tif 000030
【図２６】
2009508577.tif 000031
【図２７】
2009508577.tif 000032
【図２８】
2009508577.tif 000033
【図２９】
2009508577.tif 000034
【図３０Ａ】
2009508577.tif 000035
【図３０Ｂ】
2009508577.tif 000036
【図３０Ｃ】
2009508577.tif 000037
【図３１Ａ】
2009508577.tif 000038
【図３１Ｂ】
2009508577.tif 000039
【図３２】
2009508577.tif 000040
【図３３】
2009508577.tif 000041
【図３４】
2009508577.tif 000042
【図３５】
2009508577.tif 000043
【国際調査報告】
2009508577.tif 000044